(57)【特許請求の範囲】
【請求項１】
径方向に沿って延びる複数のティース部、及び前記ティース部に巻線が巻回されてなる複数のコイルを有するステータの製造方法であって、
前記ステータのコアは、前記ティース部を有し互いに回動可能に連結された複数の分割コア部から構成され、前記ティース部間を切り離し可能且つ回動可能に連結する少なくとも１つの連結部を備えており、
１つの前記連結部にて切り離された前記コアの一端にある前記分割コア部が前記ティース部の先端を巻取り部の内側に向けて該巻取り部と一体回転可能に支持され、前記巻取り部が該巻取り部の中心を通ると共に前記コアの軸方向に沿って延びる中心線を回転軸として回転されて前記巻取り部の外周に複数の前記分割コア部が巻き取られることにより、前記コアが前記ティース部を径方向内側として丸められる巻取り工程を備え、
前記巻取り工程では、前記コアの他端にある前記分割コア部が前記巻取り部の外周に巻き取られる際には、前記巻取り部の外周の長さは、前記ティース部を径方向内側として整形された前記コアにおける前記ティース部の先端を通る円の円周の長さよりも長いことを特徴とするステータの製造方法。
【請求項２】
径方向に沿って延びる複数のティース部、及び前記ティース部に巻線が巻回されてなる複数のコイルを有するステータの製造方法であって、
前記ステータのコアは、前記ティース部を有し互いに回動可能に連結された複数の分割コア部から構成され、前記ティース部間を切り離し可能且つ回動可能に連結する少なくとも１つの連結部を備えており、
１つの前記連結部にて切り離された前記コアの一端にある前記分割コア部が前記ティース部の先端を巻取り部の内側に向けて該巻取り部と一体回転可能に支持され、前記巻取り部が該巻取り部の中心を通ると共に前記コアの軸方向に沿って延びる中心線を回転軸として回転されて前記巻取り部の外周に複数の前記分割コア部が巻き取られることにより、前記コアが前記ティース部を径方向内側として丸められる巻取り工程と、
前記ティース部が外側となるように環状にされた前記コアの外側に配置された巻線手段にて前記ティース部に前記巻線が巻回される度に、前記巻線よりなり先に巻回された前記コイルから後に巻回される前記コイルに渡る渡り線を、前記コアの前記渡り線が設けられる端面に対向して配置された巻線案内部の外周面によって案内しながら、前記巻線手段に対して前記コアが相対回転される巻線工程とを備え、
前記巻取り工程では、複数の前記分割コア部は、前記コアが前記ティース部を径方向外側として環状にされた状態から前記巻取り部にて巻き取られることを特徴とするステータの製造方法。
【請求項３】
請求項２に記載のステータの製造方法において、
前記渡り線の長さが、製造された前記ステータの前記渡り線の引出し位置を通る円における、前記渡り線の両端の前記引出し位置間の中心角分の円周の長さと等しくなるように、前記渡り線を案内する前記巻線案内部の外径及び前記コアに対する前記巻線案内部の配置位置を設定することを特徴とするステータの製造方法。
【請求項４】
径方向に沿って延びる複数のティース部、及び前記ティース部に巻線が巻回されてなる複数のコイルを有するステータの製造方法であって、
前記ステータのコアは、前記ティース部を有し互いに回動可能に連結された複数の分割コア部から構成され、前記ティース部間を切り離し可能且つ回動可能に連結する少なくとも１つの連結部を備えており、
１つの前記連結部にて切り離された前記コアの一端にある前記分割コア部が前記ティース部の先端を巻取り部の内側に向けて該巻取り部と一体回転可能に支持され、前記巻取り部が該巻取り部の中心を通ると共に前記コアの軸方向に沿って延びる中心線を回転軸として回転されて前記巻取り部の外周に複数の前記分割コア部が巻き取られることにより、前記コアが前記ティース部を径方向内側として丸められる巻取り工程を備え、
前記巻取り工程では、前記コアは前記ティース部を外側として環状にされた状態でコア固定部の外周に配置され、前記巻取り部が前記中心線を回転軸として回転されると共に同巻取り部が該巻取り部の回転に応じて前記コア固定部の中心を回転中心として前記コア固定部の外周を周回されることにより、前記巻取り部の外周に複数の前記分割コア部が巻き取られることを特徴とするステータの製造方法。
【請求項５】
径方向に沿って延びる複数のティース部、及び前記ティース部に巻線が巻回されてなる複数のコイルを有するステータの製造方法であって、
前記ステータのコアは、前記ティース部を有し互いに回動可能に連結された複数の分割コア部から構成され、前記ティース部間を切り離し可能且つ回動可能に連結する少なくとも１つの連結部を備えており、
１つの前記連結部にて切り離された前記コアの一端にある前記分割コア部が前記ティース部の先端を巻取り部の内側に向けて該巻取り部と一体回転可能に支持され、前記巻取り部が該巻取り部の中心を通ると共に前記コアの軸方向に沿って延びる中心線を回転軸として回転されて前記巻取り部の外周に複数の前記分割コア部が巻き取られることにより、前記コアが前記ティース部を径方向内側として丸められる巻取り工程を備え、
前記巻取り工程の前に、前記ティース部を外側として環状にされた前記コアの内側に向かって、前記巻線よりなり前記コイルに電流を供給するための給電端子に接続される引出し線が押し込まれる引出し線押込み工程を備えたことを特徴とするステータの製造方法。
【請求項６】
請求項４又は請求項５に記載のステータの製造方法において、
前記ティース部が外側となるように環状にされた前記コアの外側に配置された巻線手段にて前記ティース部に前記巻線が巻回される度に、前記巻線よりなり先に巻回された前記コイルから後に巻回される前記コイルに渡る渡り線を、前記コアの前記渡り線が設けられる端面に対向して配置された巻線案内部の外周面によって案内しながら、前記巻線手段に対して前記コアが相対回転される巻線工程を備え、
前記巻取り工程では、複数の前記分割コア部は、前記コアが前記ティース部を径方向外側として環状にされた状態から前記巻取り部にて巻き取られ、
前記巻線工程では、前記巻線手段にて前記ティース部に前記巻線が巻回された後、少なくとも１回は、先に前記ティース部に巻回された前記コイルから次に前記ティース部に巻回される前記コイルに渡る前記渡り線の両端の引出し位置間の中心角が１２０°以上となるように、前記巻線手段に対して前記コアが相対回転されることを特徴とするステータの製造方法。
【請求項７】
径方向に沿って延びる複数のティース部、及び前記ティース部に巻線が巻回されてなる複数のコイルを有するステータを製造するステータの製造システムであって、
前記ティース部を有し互いに回動可能に連結された複数の分割コア部から構成され前記ティース部間を切り離し可能且つ回動可能に連結する少なくとも１つの連結部を備えた前記ステータのコアが１つの前記連結部にて切り離された状態で、前記コアの一端にある分割コア部が前記ティース部の先端を内側に向けて一体回転可能に支持される巻取り部を有するコア巻取り機を備え、
前記巻取り部は、該巻取り部の中心を通ると共に前記コアの軸方向に沿って延びる中心線を回転軸として回転し、前記巻取り部の外周に前記ティース部を内側として複数の前記分割コア部を巻き取るように構成され、
前記巻取り部の外周の長さは、前記コアの他端にある前記分割コア部が前記巻取り部の外周に巻き取られる際には、前記ティース部を径方向内側として整形された前記コアにおける前記ティース部の先端を通る円の円周の長さよりも長いことを特徴とするステータの製造システム。
【請求項８】
径方向に沿って延びる複数のティース部、及び前記ティース部に巻線が巻回されてなる複数のコイルを有するステータを製造するステータの製造システムであって、
前記ティース部を有し互いに回動可能に連結された複数の分割コア部から構成され前記ティース部間を切り離し可能且つ回動可能に連結する少なくとも１つの連結部を備えた前記ステータのコアが１つの前記連結部にて切り離された状態で、前記コアの一端にある分割コア部が前記ティース部の先端を内側に向けて一体回転可能に支持される巻取り部を有するコア巻取り機を備え、
前記巻取り部は、該巻取り部の中心を通ると共に前記コアの軸方向に沿って延びる中心線を回転軸として回転し、前記巻取り部の外周に前記ティース部を内側として複数の前記分割コア部を巻き取るように構成されており、
前記ティース部が外側となるように環状にされた前記コアの外側に配置され、前記ティース部に前記巻線を巻回する巻線手段と、
前記巻線手段にて前記ティース部に前記巻線が巻回される度に、前記巻線手段に対して前記コアを相対回転させ、前記ティース部を前記巻線手段に対向させる回転手段と、
先に巻回された前記コイルから後に巻回される前記コイルに渡る前記巻線よりなる渡り線が設けられる前記コアの端面に対向して配置され、前記コアが前記巻線手段に対して相対回転される際に、その外周面によって前記渡り線を案内する巻線案内部と
を有する巻線機を備えたことを特徴とするステータの製造システム。
【請求項９】
請求項８に記載のステータの製造システムにおいて、
前記渡り線の長さが、製造された前記ステータの前記渡り線の引出し位置を通る円における、前記渡り線の両端の前記引出し位置間の中心角分の円周の長さと等しくなるように、前記渡り線を案内する前記巻線案内部の外径及び前記コアに対する前記巻線案内部の配置位置が設定されていることを特徴とするステータの製造システム。
【請求項１０】
径方向に沿って延びる複数のティース部、及び前記ティース部に巻線が巻回されてなる複数のコイルを有するステータを製造するステータの製造システムであって、
前記ティース部を有し互いに回動可能に連結された複数の分割コア部から構成され前記ティース部間を切り離し可能且つ回動可能に連結する少なくとも１つの連結部を備えた前記ステータのコアが１つの前記連結部にて切り離された状態で、前記コアの一端にある分割コア部が前記ティース部の先端を内側に向けて一体回転可能に支持される巻取り部を有するコア巻取り機を備え、
前記巻取り部は、該巻取り部の中心を通ると共に前記コアの軸方向に沿って延びる中心線を回転軸として回転し、前記巻取り部の外周に前記ティース部を内側として複数の前記分割コア部を巻き取るように構成されており、
前記コア巻取り機は、
前記ティース部を外側として環状にされた前記コアが外周に配置されるコア固定部と、
前記コア固定部の中心を回転中心として前記コア固定部に対して相対回転する回転テーブルとを備え、
前記巻取り部は、前記回転テーブル上に前記コア固定部と並んで前記回転テーブルと一体回転可能に設けられ、前記回転テーブルの回転に応じて前記中心線を回転軸として回転すると共に、前記回転テーブルの回転によって前記コア固定部の外周を周回することにより複数の前記分割コア部を巻き取ることを特徴とするステータの製造システム。
【請求項１１】
径方向に沿って延びる複数のティース部、及び前記ティース部に巻線が巻回されてなる複数のコイルを有するステータを製造するステータの製造システムであって、
前記ティース部を有し互いに回動可能に連結された複数の分割コア部から構成され前記ティース部間を切り離し可能且つ回動可能に連結する少なくとも１つの連結部を備えた前記ステータのコアが１つの前記連結部にて切り離された状態で、前記コアの一端にある分割コア部が前記ティース部の先端を内側に向けて一体回転可能に支持される巻取り部を有するコア巻取り機を備え、
前記巻取り部は、該巻取り部の中心を通ると共に前記コアの軸方向に沿って延びる中心線を回転軸として回転し、前記巻取り部の外周に前記ティース部を内側として複数の前記分割コア部を巻き取るように構成されており、
前記コア巻取り機にてティース部を径方向内側として複数の前記分割コア部を巻き取る前に、前記ティース部を外側として環状にされた前記コアの内側に向かって、前記巻線よりなり前記コイルに電流を供給するための給電端子に接続される引出し線を押し込む押込み手段を備えた引出し線押込み機を備えたことを特徴とするステータの製造システム。
【請求項１２】
請求項１０又は請求項１１に記載のステータの製造システムにおいて、
前記ティース部が外側となるように環状にされた前記コアの外側に配置され、前記ティース部に前記巻線を巻回する巻線手段と、
前記巻線手段にて前記ティース部に前記巻線が巻回される度に、前記巻線手段に対して前記コアを相対回転させ、前記ティース部を前記巻線手段に対向させる回転手段と、
先に巻回された前記コイルから後に巻回される前記コイルに渡る前記巻線よりなる渡り線が設けられる前記コアの端面に対向して配置され、前記コアが前記巻線手段に対して相対回転される際に、その外周面によって前記渡り線を案内する巻線案内部と
を有する巻線機を備え、
前記回転手段は、前記巻線手段にて前記ティース部に前記巻線が巻回された後、少なくとも１回は、先に前記ティース部に巻回された前記コイルから次に前記ティース部に巻回される前記コイルに渡る前記渡り線の両端の引出し位置間の中心角が１２０°以上となるように、前記巻線手段に対して前記コアを相対回転させることを特徴とするステータの製造システム。
【請求項１３】
請求項１乃至請求項６の何れか１項のステータの製造方法にて製造されるステータであって、
前記コアは、前記ティース部を有し互いに回転可能に連結された複数の分割コア部から構成されると共に前記ティース部を径方向内側として円環状に整形され、前記ティース部間を切り離し可能且つ回動可能に連結する少なくとも１つの連結部を備えており、
前記コイル間を渡る前記巻線よりなる複数の渡り線のうち少なくとも１本の前記渡り線は、前記コアの中心を曲率中心とすると共に前記渡り線が引き出される引出し位置を通る円弧状をなしていることを特徴とするステータ。
【請求項１４】
請求項１３に記載のステータにおいて、
複数の前記渡り線のうち少なくとも１本の前記渡り線は、該渡り線の両端の前記引出し位置間の中心角が１２０°以上あることを特徴とするステータ。
【請求項１５】
請求項１３又は請求項１４に記載のステータにおいて、
前記巻線よりなり前記コイルに電流を供給するための給電端子に接続される引出し線を有する複数の前記コイルは、電気極性が同じとなる前記引出し線を有する前記コイル同士が周方向に隣接するように巻回されていることを特徴とするステータ。
【発明の詳細な説明】
【技術分野】
【０００１】
本発明は巻線が巻装されたステータ、該ステータの製造方法、及び該ステータを製造する製造システムに関するものである。
【背景技術】
【０００２】
従来、回転電機のステータには、特許文献１にて開示されているものがある。特許文献１にて開示されているステータのコアは、直線状に延びる連鎖部と複数のティース部とを備えて構成されている。各ティース部は、連鎖部の延びる方向と直交するように当該連鎖部から延びている。そして、連鎖部には、各ティース部間に穴及び溝が形成されており、これらの穴及び溝が形成されることにより連鎖部が折り曲げ可能となっている。
【０００３】
このようなコアは、直線状に延びる連鎖部におけるティース部と逆側の面が治具により固定され、インシュレータが装着される。次いで、巻線機によって各ティース部に巻線が巻回され、これにより各ティース部にコイルが形成される。次いで、各ティース部が径方向内側となるように連鎖部が折り曲げられ、連鎖部の一方の端部と他方の端部とが当接され、連鎖部が円環状に形成される。
【特許文献１】特開平８−１４９７７１号公報
【発明の開示】
【発明が解決しようとする課題】
【０００４】
しかしながら、特許文献１にて開示されているステータにおいて、単純にティース部に巻線を巻回すると、コイル間を渡る渡り線の長さが不足してティース部を径方向内側となるように連鎖部を折り曲げることが困難となる虞がある。逆に、渡り線の長さが長すぎて、ティース部が内側となるようにコアを整形する際に、渡り線が邪魔となり、コアを整形する工程に時間がかかってしまう。また、渡り線が長すぎると、渡り線が長いことにより電気抵抗が大きくなり回転電機の効率が低下する虞がある。
【０００５】
更に、特許文献１にて開示されているステータにおいては、ティース部が径方向内側となるようにコアを整形する際に、連鎖部の一端部に、連鎖部の他端及び連鎖部の他端に形成されたティース部の先端が接触し、連鎖部の一端部と他端部とを合わせて連鎖部を円環状にすることが困難となる虞がある。そのため、ティース部が径方向内側となるようにコアを整形する際には、連鎖部の他端及び連鎖部の他端に形成されたティース部の先端が連鎖部の一端部に接触しないように調整を行うことになり、手間がかかる。従って、生産性の低下を招く虞がある。
【０００６】
上記したように、特許文献１にて開示されているステータでは、ティース部が径方向内側となるようにコアを整形する際に様々な調整を行うことになるため、ティース部が径方向内側となるようにコアを整形する工程が複雑なものとなっていた。
【０００７】
本発明は、こうした実情に鑑みてなされたものであって、その目的は、ティース部が径方向内側となるようにコアを整形する工程を容易に行うことができるステータの製造方法、ステータの製造システム、及びステータを提供することにある。
【課題を解決するための手段】
【０００８】
上記課題を解決するため、請求項１に記載の発明は、径方向に沿って延びる複数のティース部、及び前記ティース部に巻線が巻回されてなる複数のコイルを有するステータの製造方法であって、前記ステータのコアは、前記ティース部を有し互いに回動可能に連結された複数の分割コア部から構成され、前記ティース部間を切り離し可能且つ回動可能に連結する少なくとも１つの連結部を備えており、１つの前記連結部にて切り離された前記コアの一端にある前記分割コア部が前記ティース部の先端を巻取り部の内側に向けて該巻取り部と一体回転可能に支持され、前記巻取り部が該巻取り部の中心を通ると共に前記コアの軸方向に沿って延びる中心線を回転軸として回転されて前記巻取り部の外周に複数の前記分割コア部が巻き取られることにより、前記コアが前記ティース部を径方向内側として丸められる巻取り工程を備え、前記巻取り工程では、前記コアの他端にある前記分割コア部が前記巻取り部の外周に巻き取られる際には、前記巻取り部の外周の長さは、前記ティース部を径方向内側として整形された前記コアにおける前記ティース部の先端を通る円の円周の長さよりも長い。
【００１０】
請求項２に記載の発明は、径方向に沿って延びる複数のティース部、及び前記ティース部に巻線が巻回されてなる複数のコイルを有するステータの製造方法であって、前記ステータのコアは、前記ティース部を有し互いに回動可能に連結された複数の分割コア部から構成され、前記ティース部間を切り離し可能且つ回動可能に連結する少なくとも１つの連結部を備えており、１つの前記連結部にて切り離された前記コアの一端にある前記分割コア部が前記ティース部の先端を巻取り部の内側に向けて該巻取り部と一体回転可能に支持され、前記巻取り部が該巻取り部の中心を通ると共に前記コアの軸方向に沿って延びる中心線を回転軸として回転されて前記巻取り部の外周に複数の前記分割コア部が巻き取られることにより、前記コアが前記ティース部を径方向内側として丸められる巻取り工程と、前記ティース部が外側となるように環状にされた前記コアの外側に配置された巻線手段にて前記ティース部に前記巻線が巻回される度に、前記巻線よりなり先に巻回された前記コイルから後に巻回される前記コイルに渡る渡り線を、前記コアの前記渡り線が設けられる端面に対向して配置された巻線案内部の外周面によって案内しながら、前記巻線手段に対して前記コアが相対回転される巻線工程とを備え、前記巻取り工程では、複数の前記分割コア部は、前記コアが前記ティース部を径方向外側として環状にされた状態から前記巻取り部にて巻き取られる。
【００１１】
請求項３に記載の発明は、請求項２に記載のステータの製造方法において、前記渡り線の長さが、製造された前記ステータの前記渡り線の引出し位置を通る円における、前記渡り線の両端の前記引出し位置間の中心角分の円周の長さと等しくなるように、前記渡り線を案内する前記巻線案内部の外径及び前記コアに対する前記巻線案内部の配置位置を設定する。
【００１２】
請求項４に記載の発明は、径方向に沿って延びる複数のティース部、及び前記ティース部に巻線が巻回されてなる複数のコイルを有するステータの製造方法であって、前記ステータのコアは、前記ティース部を有し互いに回動可能に連結された複数の分割コア部から構成され、前記ティース部間を切り離し可能且つ回動可能に連結する少なくとも１つの連結部を備えており、１つの前記連結部にて切り離された前記コアの一端にある前記分割コア部が前記ティース部の先端を巻取り部の内側に向けて該巻取り部と一体回転可能に支持され、前記巻取り部が該巻取り部の中心を通ると共に前記コアの軸方向に沿って延びる中心線を回転軸として回転されて前記巻取り部の外周に複数の前記分割コア部が巻き取られることにより、前記コアが前記ティース部を径方向内側として丸められる巻取り工程を備え、前記巻取り工程では、前記コアは前記ティース部を外側として環状にされた状態でコア固定部の外周に配置され、前記巻取り部が前記中心線を回転軸として回転されると共に同巻取り部が該巻取り部の回転に応じて前記コア固定部の中心を回転中心として前記コア固定部の外周を周回されることにより、前記巻取り部の外周に複数の前記分割コア部が巻き取られる。
【００１３】
請求項５に記載の発明は、径方向に沿って延びる複数のティース部、及び前記ティース部に巻線が巻回されてなる複数のコイルを有するステータの製造方法であって、前記ステータのコアは、前記ティース部を有し互いに回動可能に連結された複数の分割コア部から構成され、前記ティース部間を切り離し可能且つ回動可能に連結する少なくとも１つの連結部を備えており、１つの前記連結部にて切り離された前記コアの一端にある前記分割コア部が前記ティース部の先端を巻取り部の内側に向けて該巻取り部と一体回転可能に支持され、前記巻取り部が該巻取り部の中心を通ると共に前記コアの軸方向に沿って延びる中心線を回転軸として回転されて前記巻取り部の外周に複数の前記分割コア部が巻き取られることにより、前記コアが前記ティース部を径方向内側として丸められる巻取り工程を備え、前記巻取り工程の前に、前記ティース部を外側として環状にされた前記コアの内側に向かって、前記巻線よりなり前記コイルに電流を供給するための給電端子に接続される引出し線が押し込まれる引出し線押込み工程を備えた。
【００１４】
請求項６に記載の発明は、請求項４又は請求項５に記載のステータの製造方法において、前記ティース部が外側となるように環状にされた前記コアの外側に配置された巻線手段にて前記ティース部に前記巻線が巻回される度に、前記巻線よりなり先に巻回された前記コイルから後に巻回される前記コイルに渡る渡り線を、前記コアの前記渡り線が設けられる端面に対向して配置された巻線案内部の外周面によって案内しながら、前記巻線手段に対して前記コアが相対回転される巻線工程を備え、前記巻取り工程では、複数の前記分割コア部は、前記コアが前記ティース部を径方向外側として環状にされた状態から前記巻取り部にて巻き取られ、前記巻線工程では、前記巻線手段にて前記ティース部に前記巻線が巻回された後、少なくとも１回は、先に前記ティース部に巻回された前記コイルから次に前記ティース部に巻回される前記コイルに渡る前記渡り線の両端の引出し位置間の中心角が１２０°以上となるように、前記巻線手段に対して前記コアが相対回転される。
【００１５】
請求項７に記載の発明は、径方向に沿って延びる複数のティース部、及び前記ティース部に巻線が巻回されてなる複数のコイルを有するステータを製造するステータの製造システムであって、前記ティース部を有し互いに回動可能に連結された複数の分割コア部から構成され前記ティース部間を切り離し可能且つ回動可能に連結する少なくとも１つの連結部を備えた前記ステータのコアが１つの前記連結部にて切り離された状態で、前記コアの一端にある分割コア部が前記ティース部の先端を内側に向けて一体回転可能に支持される巻取り部を有するコア巻取り機を備え、前記巻取り部は、該巻取り部の中心を通ると共に前記コアの軸方向に沿って延びる中心線を回転軸として回転し、前記巻取り部の外周に前記ティース部を内側として複数の前記分割コア部を巻き取るように構成され、前記巻取り部の外周の長さは、前記コアの他端にある前記分割コア部が前記巻取り部の外周に巻き取られる際には、前記ティース部を径方向内側として整形された前記コアにおける前記ティース部の先端を通る円の円周の長さよりも長い。
【００１７】
請求項８に記載の発明は、径方向に沿って延びる複数のティース部、及び前記ティース部に巻線が巻回されてなる複数のコイルを有するステータを製造するステータの製造システムであって、前記ティース部を有し互いに回動可能に連結された複数の分割コア部から構成され前記ティース部間を切り離し可能且つ回動可能に連結する少なくとも１つの連結部を備えた前記ステータのコアが１つの前記連結部にて切り離された状態で、前記コアの一端にある分割コア部が前記ティース部の先端を内側に向けて一体回転可能に支持される巻取り部を有するコア巻取り機を備え、前記巻取り部は、該巻取り部の中心を通ると共に前記コアの軸方向に沿って延びる中心線を回転軸として回転し、前記巻取り部の外周に前記ティース部を内側として複数の前記分割コア部を巻き取るように構成されており、前記ティース部が外側となるように環状にされた前記コアの外側に配置され、前記ティース部に前記巻線を巻回する巻線手段と、前記巻線手段にて前記ティース部に前記巻線が巻回される度に、前記巻線手段に対して前記コアを相対回転させ、前記ティース部を前記巻線手段に対向させる回転手段と、先に巻回された前記コイルから後に巻回される前記コイルに渡る前記巻線よりなる渡り線が設けられる前記コアの端面に対向して配置され、前記コアが前記巻線手段に対して相対回転される際に、その外周面によって前記渡り線を案内する巻線案内部とを有する巻線機を備えた。
【００１８】
請求項９に記載の発明は、請求項８に記載のステータの製造システムにおいて、前記渡り線の長さが、製造された前記ステータの前記渡り線の引出し位置を通る円における、前記渡り線の両端の前記引出し位置間の中心角分の円周の長さと等しくなるように、前記渡り線を案内する前記巻線案内部の外径及び前記コアに対する前記巻線案内部の配置位置が設定されている。
【００１９】
請求項１０に記載の発明は、径方向に沿って延びる複数のティース部、及び前記ティース部に巻線が巻回されてなる複数のコイルを有するステータを製造するステータの製造システムであって、前記ティース部を有し互いに回動可能に連結された複数の分割コア部から構成され前記ティース部間を切り離し可能且つ回動可能に連結する少なくとも１つの連結部を備えた前記ステータのコアが１つの前記連結部にて切り離された状態で、前記コアの一端にある分割コア部が前記ティース部の先端を内側に向けて一体回転可能に支持される巻取り部を有するコア巻取り機を備え、前記巻取り部は、該巻取り部の中心を通ると共に前記コアの軸方向に沿って延びる中心線を回転軸として回転し、前記巻取り部の外周に前記ティース部を内側として複数の前記分割コア部を巻き取るように構成されており、前記コア巻取り機は、前記ティース部を外側として環状にされた前記コアが外周に配置されるコア固定部と、前記コア固定部の中心を回転中心として前記コア固定部に対して相対回転する回転テーブルとを備え、前記巻取り部は、前記回転テーブル上に前記コア固定部と並んで前記回転テーブルと一体回転可能に設けられ、前記回転テーブルの回転に応じて前記中心線を回転軸として回転すると共に、前記回転テーブルの回転によって前記コア固定部の外周を周回することにより複数の前記分割コア部を巻き取る。
【００２０】
請求項１１に記載の発明は、径方向に沿って延びる複数のティース部、及び前記ティース部に巻線が巻回されてなる複数のコイルを有するステータを製造するステータの製造システムであって、前記ティース部を有し互いに回動可能に連結された複数の分割コア部から構成され前記ティース部間を切り離し可能且つ回動可能に連結する少なくとも１つの連結部を備えた前記ステータのコアが１つの前記連結部にて切り離された状態で、前記コアの一端にある分割コア部が前記ティース部の先端を内側に向けて一体回転可能に支持される巻取り部を有するコア巻取り機を備え、前記巻取り部は、該巻取り部の中心を通ると共に前記コアの軸方向に沿って延びる中心線を回転軸として回転し、前記巻取り部の外周に前記ティース部を内側として複数の前記分割コア部を巻き取るように構成されており、前記コア巻取り機にてティース部を径方向内側として複数の前記分割コア部を巻き取る前に、前記ティース部を外側として環状にされた前記コアの内側に向かって、前記巻線よりなり前記コイルに電流を供給するための給電端子に接続される引出し線を押し込む押込み手段を備えた引出し線押込み機を備えた。
【００２１】
請求項１２に記載の発明は、請求項１０又は請求項１１に記載のステータの製造システムにおいて、前記ティース部が外側となるように環状にされた前記コアの外側に配置され、前記ティース部に前記巻線を巻回する巻線手段と、前記巻線手段にて前記ティース部に前記巻線が巻回される度に、前記巻線手段に対して前記コアを相対回転させ、前記ティース部を前記巻線手段に対向させる回転手段と、先に巻回された前記コイルから後に巻回される前記コイルに渡る前記巻線よりなる渡り線が設けられる前記コアの端面に対向して配置され、前記コアが前記巻線手段に対して相対回転される際に、その外周面によって前記渡り線を案内する巻線案内部とを有する巻線機を備え、前記回転手段は、前記巻線手段にて前記ティース部に前記巻線が巻回された後、少なくとも１回は、先に前記ティース部に巻回された前記コイルから次に前記ティース部に巻回される前記コイルに渡る前記渡り線の両端の引出し位置間の中心角が１２０°以上となるように、前記巻線手段に対して前記コアを相対回転させる。
【００２２】
請求項１３に記載の発明は、請求項１乃至請求項６の何れか１項のステータの製造方法にて製造されるステータであって、前記コアは、前記ティース部を有し互いに回転可能に連結された複数の分割コア部から構成されると共に前記ティース部を径方向内側として円環状に整形され、前記ティース部間を切り離し可能且つ回動可能に連結する少なくとも１つの連結部を備えており、前記コイル間を渡る前記巻線よりなる複数の渡り線のうち少なくとも１本の前記渡り線は、前記コアの中心を曲率中心とすると共に前記渡り線が引き出される引出し位置を通る円弧状をなしている。
【００２３】
請求項１４に記載の発明は、請求項１３に記載のステータにおいて、複数の前記渡り線のうち少なくとも１本の前記渡り線は、該渡り線の両端の前記引出し位置間の中心角が１２０°以上ある。
【００２４】
請求項１５に記載の発明は、請求項１３又は請求項１４に記載のステータにおいて、前記巻線よりなり前記コイルに電流を供給するための給電端子に接続される引出し線を有する複数の前記コイルは、電気極性が同じとなる前記引出し線を有する前記コイル同士が周方向に隣接するように巻回されている。
【００２５】
（作用）
請求項１，２，４，５に記載の発明によれば、巻取り部が該巻取り部の中心線を回転軸として回転されると、巻取り部の外周に複数の分割コア部が巻き取られていく。従って、ティース部を径方向内側としてコアを容易に丸められる。また、複数の分割コア部が巻取り部の外周に巻き取られることにより、コアは、ティース部が径方向内側となるように丸められる。従って、コイル間を渡る渡り線が長すぎる場合であっても、ティース部を径方向内側としてコアを丸める工程は渡り線によって邪魔され難い。これらのことから、ティース部が径方向内側となるようにコアを整形する工程を容易に行うことができる。尚、本発明においては、コアを「丸める」とは、ティース部を径方向内側としてコアを丸めただけの状態であって、連結部にて切り離されたコアの一端と他端とは完全に連結されていない状態を意味する。そして、コアを「整形する」とは、コアがティース部を径方向内側として円環状に整えられた状態であって、連結部にて切り離されたコアの一端と他端とが完全に連結された状態を意味する。
【００２６】
請求項１，７に記載の発明によれば、１つの連結部にて切り離されたコアの一端にある分割コア部が巻取り部に支持され、他端にある分割コア部が、複数の分割コア部のうち最後に巻取り部に巻き取られる。そして、他端にある分割コア部が巻取り部の外周に巻き取られる際には、巻取り部の外周の長さは、ティース部を径方向内側として整形されたコアにおけるティース部の先端を通る円の円周の長さよりも長い。従って、１つの連結部にて切り離されたコアの他端にある分割コア部が巻取り部の外周に巻き取られる際に、他端にある分割コア部が一端にある分割コア部に接触し一端にある分割コア部によって他端にある分割コア部が巻取り部に巻き取られることが妨げられるという不都合を回避し易い。
【００２７】
請求項２，８に記載の発明によれば、巻線手段に対してコアが相対回転される際、渡り線は、巻線案内部の外周面によって案内される。従って、巻線案内部の大きさによって渡り線の長さを調節することができ、渡り線が短すぎたり長すぎたりすることを抑制することができる。また、巻取り工程では、分割コア部は、コアがティース部を径方向外側として環状にされた状態から巻取り部にて巻き取られるため、コアが直線状にされた状態から巻取り部にて巻き取られる場合よりも、渡り線の長さが短くてもよい。これらのことから、ティース部が径方向径方向内側となるようにコアを整形する工程をより容易に行うことができる。更に、巻線工程中には、渡り線は、巻線案内部の外周面上に配置されることになる。従って、ティース部に巻線が巻回される際に、巻線手段や巻回中の巻線に渡り線が接触することが防止され、ティース部への巻線の巻回がスムーズに行われる。
【００２８】
請求項３，９に記載の発明によれば、巻線案内部を使用して巻線工程を行って製造されたステータでは、渡り線を、製造されたステータにおける渡り線の引出し位置を通る円に沿った円弧状とすることができ、渡り線におけるステータの径方向に沿った無駄が省かれる。尚、引出し位置とは、渡り線が設けられるコアの端面を含む面と、各コイルから引き出された巻線（各コイルにおいて巻始めと巻終わりの巻線）との交点の位置である。また、渡り線の両端の引出し位置間の中心角は、ティース部を径方向外側として円環状にされたコアおける渡り線の両端の引出し位置間の中心角である。言い換えると、円環状にされたコアの中心をその中心とする１つの円上に渡り線の両端の引出し位置がある場合における、渡り線の両端の引出し位置間の中心角である。
【００２９】
請求項４に記載の発明によれば、巻取り工程を自動化することができる。また、巻取り工程においては、コアが一直線状となることがないため、ティース部が径方向内側となるようにコアを丸める際に必要な渡り線の長さが、コアが直線状にされた状態から巻き取る場合よりも短くてもよい。よって、コアが直線状にされた状態から巻き取る場合よりも、渡り線の長さを短くすることが可能となり、ティース部が径方向内側となるようにコアを丸める際に、渡り線が邪魔になることをより抑制することができる。
【００３０】
請求項５，１１に記載の発明によれば、コアがティース部を外側として環状にされた状態で引出し線が径方向内側に押し込まれていると、ティース部が径方向内側となるようにコアを整形した際に、引出し線は、コアの径方向外側に向かって延びた状態となる。従って、引出し線の給電端子への接続が容易に行われる。
【００３１】
請求項６，１２に記載の発明によれば、少なくとも１回は、先に前記ティース部に巻回された前記コイルから次に前記ティース部に巻回される前記コイルに渡る前記渡り線の両端の前記引出し位置間の中心角が１２０°以上となるように、巻線手段に対してコアが相対回転される。尚、渡り線の両端の引出し位置間の中心角は、ティース部を径方向外側として円環状にされたコアおける渡り線の両端の引出し位置間の中心角である。言い換えると、円環状にされたコアの中心をその中心とする１つの円上に渡り線の両端の引出し位置がある場合における、渡り線の両端の引出し位置間の中心角である。巻線手段に対してコアがこのように相対回転されると、先に巻回されるコイルから次に巻回されるコイルに渡る渡り線の両端の引出し位置間の角度ピッチが１２０°以上となる。そして、コイル間を渡る渡り線が、ティース部を径方向内側として整形されたコアにおける渡り線の引出し位置を通る円に沿った円弧状になると共に、当該渡り線の長さが巻線手段に対するコアの回転角度と同じ角度（略同じ角度を含む）分の前記円の円周の長さとなる場合には、コイル間を渡る渡り線は、ティース部を径方向内側としてコアを丸める際に最低限必要な渡り線の長さよりも長くなる。因みに、ティース部を径方向内側としてコアを丸める際に最低限必要な渡り線の長さとは、請求項２，６のステータの製造方法を行う場合、若しくは請求項４のステータの製造システムでティース部を内側としてコアを丸める場合に最低限必要な渡り線の長さである。従って、渡り線の長さに余裕ができるため、ティース部を径方向内側としてコアを整形する工程をより高速化することが可能になると共に、ティース部を径方向内側としてコアを丸める工程が更に容易となる。
また、巻線手段に対してコアが相対回転される際、渡り線は、巻線案内部の外周面によって案内される。従って、巻線案内部の大きさによって渡り線の長さを調節することができ、渡り線が短すぎたり長すぎたりすることを抑制することができる。また、巻取り工程では、分割コア部は、コアがティース部を径方向外側として環状にされた状態から巻取り部にて巻き取られるため、コアが直線状にされた状態から巻取り部にて巻き取られる場合よりも、渡り線の長さが短くてもよい。これらのことから、ティース部が径方向径方向内側となるようにコアを整形する工程をより容易に行うことができる。更に、巻線工程中には、渡り線は、巻線案内部の外周面上に配置されることになる。従って、ティース部に巻線が巻回される際に、巻線手段や巻回中の巻線に渡り線が接触することが防止され、ティース部への巻線の巻回がスムーズに行われる。
【００３２】
請求項７，８，１０，１１に記載の発明によれば、巻取り部が巻取り部の中心線を回転軸として回転すると、巻取り部の外周に複数の分割コア部がティース部を内側として巻き取られていく。従って、ティース部を内側としてコアを容易に丸められる。また、コアは、当該コアを構成する複数の分割コア部が巻取り部によって巻き取られることにより、ティース部が径方向内側となるように丸められる。従って、コイル間を接続する渡り線が長すぎる場合であっても、ティース部を径方向内側として丸める工程は渡り線によって邪魔され難い。これらのことから、ティース部が径方向内側となるようにコアを整形する工程を容易に行うことができる。
【００３３】
請求項１０に記載の発明によれば、巻取り部は、回転テーブル上に設けられていることから、回転テーブルがコア固定部に対して相対回転すると、ティース部を外側として環状にされたコアが配置されたコア固定部の外周を周回する。また同時に、巻取り部は、回転テーブルの回転に応じて、当該巻取り部の中心線を回転軸として回転する。そして、巻取り部及び回転テーブルのこれらの動作により、巻取り部の外周に複数の分割コア部が巻き取られる。従って、ティース部を径方向内側としてコアを丸める工程を自動化することができる。また、このコア巻取り機にて複数の分割コア部を巻き取ると、コアが一直線状となることがない。そのため、ティース部が径方向内側となるようにコアを丸める際に必要な渡り線の長さは、コアが直線状にされた状態から巻き取る場合よりも短くてもよい。よって、コアが直線状にされた状態から複数の分割コア部を巻き取る場合よりも、渡り線の長さを短くすることが可能となり、ティース部が径方向内側となるようにコアを丸める際に、渡り線が邪魔になることをより抑制することができる。
【００３４】
請求項１３に記載の発明によれば、コアの中心を曲率中心とすると共に渡り線が引き出される引出し位置を通りステータの周方向に沿った円弧状をなす渡り線は、コアの外側や内側にはみ出し難い。尚、引出し位置とは、渡り線が設けられるコアの端面を含む面と、各コイルから引き出され渡り線となる巻線（各コイルにおいて巻始めと巻終わりの巻線）との交点の位置である。
【００３５】
請求項１４に記載の発明によれば、両端の引出し位置間の中心角が１２０°以上ある渡り線の長さは、ティース部を径方向内側として整形されたコアにおける渡り線の引出し位置を通る円における、当該渡り線の両端の引出し位置間の角度ピッチ分の円周の長さとなっている。そのため、このステータを製造する際に、両端の引出し位置間の中心角が１２０°以上ある渡り線は、ティース部を径方向内側としてコアを丸める際に最低限必要な渡り線の長さよりも長くなる。因みに、ティース部を径方向内側としてコアを丸める際に最低限必要な渡り線の長さとは、請求項２，６のステータの製造方法を行う場合に最低限必要な渡り線の長さである。従って、両端の引出し位置間の中心角が１２０°以上ある渡り線は、その長さに余裕があるため、本発明のステータは、ティース部を径方向内側としてより高速にコアの整形を行って製造されることが可能である。更に、本発明のステータは、長さに余裕のある渡り線を有しているため、ティース部を径方向内側としてより容易にコアを整形して製造される。
【００３６】
請求項１５に記載の発明によれば、電気極性が同じとなる引出し線を有するコイルが隣接していると、引出し線の給電端子への接続を容易に行うことができる。
【発明の効果】
【００３７】
本発明によれば、ティース部が径方向内側となるようにコアを整形する工程が容易に行われるステータの製造方法、ステータの製造システム、及びステータを提供することができる。
【発明を実施するための最良の形態】
【００３８】
以下、本発明を具体化した一実施形態を図面に従って説明する。
まず、本実施形態におけるブラシレスモータの構成を説明する。
図１に示す回転電機としてのブラシレスモータＭは、ステータ１と、該ステータ１の内側に配置されるロータ２（図１において一点鎖線で示す）と、ハウジング３とを備えて構成されている。ロータ２は、周方向に配置される複数のマグネット（図示略）を備えており、該マグネットがステータ１と対向配置されるようにして該ステータ１の内側に配置されている。
【００３９】
ステータ１は、略筒状のハウジング３内に配設され、インシュレータ４を介して巻線５が巻装されるコアとしてのステータコア６を備えている。ステータコア６は、鉄系の磁性材料よりなる。
【００４０】
ステータコア６は、ハウジング３の内周に固定される環状部７と、該環状部７の内周面から径方向に沿って延設された１２個のティース部８ａ〜８ｌとを備えている。ティース部８ａ〜８ｌは、周方向に等角度（３０°）間隔に配置されている。そして、これらのティース部８ａ〜８ｌに巻線５が集中巻きにて巻回されることにより、１２個のコイルが形成されている。詳しくは、ティース部８ｅ，８ｊ，８ｋ，８ｄには、同一相（Ｕ相）となるコイルＵ１〜Ｕ４がそれぞれ巻回されており、ティース部８ａ，８ｆ，８ｇ，８ｌには、同一相（Ｖ相）となるコイルＶ１〜Ｖ４がそれぞれ巻回されている。また、ティース部８ｉ，８ｂ，８ｃ，８ｈには、同一相（Ｗ相）となるコイルＷ１〜Ｗ４がそれぞれ巻回されている。
【００４１】
Ｕ相のコイルＵ１〜Ｕ４は、巻線５の巻回方向が同じ向きとなるように巻回されている。そして、図２に示すように、コイルＵ１，Ｕ２間を渡る渡り線５ａ及びコイルＵ３，Ｕ４間を渡る渡り線５ａは、コア６の中心Ｏ１を曲率中心とすると共に各渡り線５ａの引出し位置Ｘを通る円弧状をなしている。そして、各渡り線５ａの長さは、コア６の中心Ｏ１をその中心とし引出し位置Ｘを通る円Ｃ１における、該渡り線５ａの両端の引出し位置Ｘ間の中心角θ分の円周の長さに等しい。尚、渡り線５ａの引出し位置Ｘとは、渡り線５ａが設けられるコア６の軸方向の端面６ａを含む面と、各コイルＵ１〜Ｕ４から引き出され渡り線５ａとなる巻線５（各コイルにおいて巻始めと巻終わりの巻線）との交点の位置である。また、中心角θは、渡り線５ａの両端の引出し位置Ｘ間の角度ピッチに等しい。
【００４２】
本実施形態では、コイルＵ１が巻回されたティース部８ｅとコイルＵ２が巻回されたティース部８ｊとの角度ピッチＰ（ティース部８ｅとティース部８ｊとがなす角度）が１５０°となっている。また、コイルＵ１とコイルＵ２とは巻線５の巻回方向が同じ向きとなるように巻回されている。従って、コイルＵ１，Ｕ２間を渡る渡り線５ａの両端の引出し位置Ｘ間の中心角θは、ティース部８ｅとティース部８ｊとの角度ピッチＰから、１つのティース部の周方向幅分の角度（円Ｃ１におけるティース部の周方向幅分の円弧の中心角であって、本実施形態では約１５°）を除した値である約１３５°となる。そして、コイルＵ３，Ｕ４間を渡る渡り線５ａの両端の引出し位置Ｘ間の中心角θも約１３５°となる。
【００４３】
コイルＵ１及びコイルＵ４に設けられた引出し線５ｂ（片側の端部のみコイルに繋がっている巻線５）は、陽極側の給電端子（図示略）に接続されている。また、コイルＵ２及びコイルＵ３に設けられた引出し線５ｂは、陰極側の給電端子（図示略）に接続されている。
【００４４】
Ｕ相のコイルＵ１〜Ｕ４と同様に、Ｖ相のコイルＶ１〜Ｖ４は、巻線５の巻回方向が同じ向きとなるように巻回されている。そして、コイルＶ１，Ｖ２間を渡る渡り線５ａ及びコイルＶ３，Ｖ４間を渡る渡り線５ａは、コア６の中心Ｏ１を曲率中心とすると共に各渡り線５ａの引出し位置Ｘを通る円弧状をなしている。更に、コイルＶ１及びコイルＶ４に設けられた引出し線５ｂは陽極側の給電端子に接続されており、コイルＶ２及びコイルＶ３に設けられた引出し線５ｂは陰極側の給電端子に接続されている。尚、図２においては、Ｕ相のコイルＵ１〜Ｕ４に関する渡り線５ａ及び引出し線５ｂのみを図示している。
【００４５】
また同様に、Ｗ相のコイルＷ１〜Ｗ４は、巻線５の巻回方向が同じ向きとなるように巻回されている。そして、コイルＷ１，Ｗ２間を渡る渡り線５ａ及びコイルＷ３，Ｗ４間を渡る渡り線５ａは、コア６の中心Ｏ１を曲率中心とすると共に各渡り線５ａの引出し位置Ｘを通る円弧状をなしている。更に、コイルＷ１及びコイルＷ４に設けられた引出し線５ｂは陽極側の給電端子に接続されており、コイルＷ２及びコイルＷ３に設けられた引出し線５ｂは陰極側の給電端子に接続されている。これらのコイルＵ１〜Ｕ４，Ｖ１〜Ｖ４，Ｗ１〜Ｗ４には三相交流電源が供給される。
【００４６】
図１及び図３（ａ）（ｂ）（ｃ）に示すように、ステータコア６は、周方向に分割された形状で互いの回動が許容される複数の分割コア部１３から構成されている。本実施形態では、ステータコア６は、ティース部８ａ〜８ｌ毎に分割された１２個の分割コア部１３から構成されている（図１参照）。各分割コア部１３は、図４（ａ）（ｂ）に示す第１積層部材１１と、図５（ａ）（ｂ）に示す第２積層部材１２とが交互に積層されて構成されている。
【００４７】
図４（ａ）に示すように、第１積層部材１１は、円弧状に延びる積層前分割環状部１１ａと、積層前分割環状部１１ａの長手方向の中央部から略直交方向（前記円弧状の軸中心方向）に延びる積層前ティース部１１ｂとを有している。積層前ティース部１１ｂの先端部には、周方向に延びる積層前突片１１ｃが形成されている。また、積層前ティース部１１ｂには、板厚方向（軸方向）の一方（図４（ｂ）において上方）に第１嵌合凹部１１ｄが形成され、且つ板厚方向の他方（図４（ｂ）において下方）に第１嵌合凸部１１ｅが形成されている。第１嵌合凹部１１ｄと第１嵌合凸部１１ｅとは、板厚方向に並んで形成されると共に、その組が積層前ティース部１１ｂの延設方向に２つ並んで形成されている。
【００４８】
前記積層前分割環状部１１ａの周方向の一端部（図４（ａ）において左側の端部）には、軸方向（板厚方向）から見た形状が周方向に円弧凸状の円弧凸部１１ｆが形成されている。また、積層前分割環状部１１ａの周方向の他端部（図３（ａ）において右側の端部）には、軸方向から見た形状が周方向に円弧凹状の円弧凹部１１ｇが形成されている。即ち、積層前分割環状部１１ａの周方向両端部には、複数の第１積層部材１１を側方に配列した際（図３（ａ）参照）に、それぞれが嵌って（案内しながら）第１積層部材１１同士の回動を許容するように円弧凸部１１ｆと円弧凹部１１ｇとが形成されている。
【００４９】
積層前分割環状部１１ａの周方向端部において、円弧凸部１１ｆ及び円弧凹部１１ｇよりも環状部７の径方向内側の部分には、周方向当接面１１ｈが形成されている。周方向当接面１１ｈは、前記環状部７の径方向に沿って延びており、隣り合う分割コア部１３の回動の終端位置で隣接する積層前分割環状部１１ａの周方向当接面１１ｈに当接するように形成されている。また、積層前分割環状部１１ａの周方向他端部において、円弧凹部１１ｇよりも環状部７の径方向外側の部分には、環状部７の径方向に沿って延びる直線部１１ｉが形成されている。更に、積層前分割環状部１１ａにおける積層前ティース部１１ｂと逆側の面には、その周方向中央部に矩形状に凹設された積層前被係合部１１ｋが形成されている。
【００５０】
前記第２積層部材１２は、図５（ａ）に示すように、第１積層部材１１と対称形状に形成されている。即ち、第２積層部材１２は、円弧状に延びる積層前分割環状部１２ａと、積層前分割環状部１２ａの長手方向の中央部から略直交方向（前記円弧状の軸中心方向）に延びる積層前ティース部１２ｂとを有している。積層前ティース部１２ｂの先端部には、周方向に延びる積層前突片１２ｃが形成されている。また、積層前ティース部１２ｂには、板厚方向（軸方向）の一方（図５（ｂ）において上方）に第２嵌合凹部１２ｄが形成され、且つ板厚方向の他方（図５（ｂ）において下方）に第２嵌合凸部１２ｅが形成されている。第２嵌合凹部１２ｄと第２嵌合凸部１２ｅとは、板厚方向に並んで形成されると共に、その組が積層前ティース部１２ｂの延設方向に２つ並んで形成されている。
【００５１】
積層前分割環状部１２ａの周方向の他端部（図５（ａ）において右側の端部）には、軸方向（板厚方向）から見た形状が周方向に円弧凸状の円弧凸部１２ｆが形成されている。また、積層前分割環状部１２ａの周方向の一端部（図５（ａ）において左側の端部）には、軸方向から見た形状が周方向に円弧凹状の円弧凹部１２ｇが形成されている。即ち、積層前分割環状部１２ａの周方向両端部には、複数の第２積層部材１２を側方に配列した際（図３（ａ）参照）に、それぞれが嵌って（案内しながら）第２積層部材１２同士の回動を許容するように円弧凸部１２ｆと円弧凹部１２ｇとが形成されている。
【００５２】
積層前分割環状部１２ａの周方向端部において、円弧凸部１２ｆ及び円弧凹部１２ｇよりも環状部７の径方向内側の部分には、周方向当接面１２ｈが形成されている。周方向当接面１２ｈは、前記環状部７の径方向に沿って延びており、隣り合う分割コア部１３の回動の終端位置で隣接する積層前分割環状部１２ａの周方向当接面１２ｈに当接するように形成されている。また、積層前分割環状部１２ａの周方向一端部において円弧凹部１２ｇよりも環状部７の径方向外側の部分には、環状部７の径方向に沿って延びる直線部１２ｉが形成されている。更に、積層前分割環状部１２ａにおける積層前ティース部１２ｂと逆側の面には、その周方向中央部に矩形状に凹設された積層前被係合部１２ｋが形成されている。
【００５３】
上記のように構成された第１積層部材１１と第２積層部材１２とが交互に積層されることにより、図３（ｂ）及び図３（ｃ）に示すように、積層前分割環状部１１ａ，１２ａよりなる分割環状部１３ａと、積層前ティース部１１ｂ，１２ｂよりなるティース部８ａ〜８ｌとを有する分割コア部１３が形成されている。また、第１積層部材１１と第２積層部材１２とが交互に積層されることにより、積層前被係合部１１ｋ，１２ｋよりなる被係合部１３ｂが形成されている。この際、第１積層部材１１と第２積層部材１２とは、第１嵌合凸部１１ｅが第２嵌合凹部１２ｄに圧入嵌合され、第２嵌合凸部１２ｅが第１嵌合凹部１１ｄに圧入嵌合されることにより互いに固定されている（図４（ｂ）及び図５（ｂ）参照）。この分割コア部１３における分割環状部１３ａの周方向の一端部は、円弧凸部１１ｆと円弧凹部１２ｇとにより凹凸を繰り返す形状となり、周方向の他端部は、円弧凸部１２ｆと円弧凹部１１ｇとにより凹凸を繰り返す形状となっている（図３（ｂ）参照）。そして、１２個の分割コア部１３が分割環状部１３ａの長手方向（図３（ａ）の左右方向であって矢印Ｘ方向）に移動されて凹凸が互いに嵌め合わされ、ティース部８ａ〜８ｌが内側となるように円環状に配列されると、分割環状部１３ａにより環状部７が形成され、ティース部８ａ〜８ｌが周方向に配置される（図１参照）。また、複数の分割コア部１３が矢印Ｘ方向に沿って配列された状態では、隣り合う分割コア部１３における分割環状部１３ａの周方向の凹凸が互いに嵌り合うことにより、円弧凸部１１ｆ，１２ｆが軸方向に重なって配置されている。更に、複数の分割コア部１３が配列された状態では、円弧凸部１１ｆ，１２ｆ及び円弧凹部１１ｇ，１２ｇの円弧状の曲面によって、隣接する分割コア部１３の回動が案内される。即ち、この状態では、前記円弧凹状及び前記円弧凸状により、隣接する分割コア部１３同士の回動が許容される。尚、前記円弧凹状及び前記円弧凸状は、これら同時では互いに連結するものではない。
【００５４】
前記インシュレータ４は、図６乃至図９に示すように、分割コア部１３に対応した形状の第１インシュレータ部材２１及び第２インシュレータ部材２２よりなる。第１及び第２インシュレータ部材２１，２２は、絶縁性を有する樹脂材料よりなる。第１及び第２インシュレータ部材２１，２２は、分割環状部１３ａの軸方向片側端面上に配置される弧状端面部２１ａ，２２ａと、分割環状部１３ａの内周面を覆う内周側端面部２１ｂ，２２ｂとを備えている。また、第１及び第２インシュレータ部材２１，２２は、ティース部８ａ〜８ｌの軸方向片側端面を覆う端面部２１ｃ，２２ｃと、ティース部８ａ〜８ｌの両側面を覆う一対の側面部２１ｄ，２２ｄとを備えている。前記弧状端面部２１ａ，２２ａは、ティース部８ａ〜８ｌに巻回される巻線５の径方向外側へのはみ出しを規制すべく軸方向に突出して形成され、その一部には巻線５を係止可能な係止溝２１ｅ，２２ｅが形成されている。また、前記端面部２１ｃ，２２ｃにおける弧状端面部２１ａ，２２ａと逆側の端部（図７及び図９において下端部）には、ティース部８ａ〜８ｌに巻回される巻線５の径方向内側へのはみ出しを規制する内側規制壁２１ｆ，２２ｆが軸方向に立設されている。
【００５５】
図６及び図７に示すように、第１インシュレータ部材２１における前記分割環状部１３ａの周方向端部と対応した位置であって弧状端面部２１ａの周方向両端部には、軸方向に延びる挿入孔２１ｇが形成されている。挿入孔２１ｇには、軸直交方向に延びる（軸方向から見て挿入孔２１ｇの径方向に延びる）鉤状切り欠き部２１ｈが形成されている。一対の鉤状切り欠き部２１ｈは、図７に示すように、内側規制壁２１ｆ側（図６において下側）に向かうほど離間するように（図７において、左斜め下方向と右斜め下方向に）延びている。
【００５６】
図８及び図９に示すように、第２インシュレータ部材２２における前記分割環状部１３ａの周方向端部と対応した位置であって弧状端面部２２ａの周方向両端部には、軸方向に延びる挿入凸部２２ｇが形成されている。挿入凸部２２ｇには、その先端に軸直交方向に延びる（軸方向から見て挿入凸部２２ｇの径方向に延びる）鉤状突出部２２ｈが形成されている。鉤状突出部２２ｈは、第１インシュレータ部材２１と第２インシュレータ部材２２とが所定の回動角度をなした状態で挿入凸部２２ｇを挿入孔２１ｇに挿入可能とし、且つ所定の回動角度以外の回動角度をなした状態で挿入凸部２２ｇを挿入孔２１ｇに対して挿抜不能とするように形成されている。即ち、鉤状突出部２２ｈは、前記所定の回動角度でのみ鉤状切り欠き部２１ｈと一致するように形成されている。本実施形態では、一対の鉤状突出部２２ｈは、図９に示すように、内側規制壁２２ｆ側（図９において下側）に向かうほど離間するように（図９において左斜め下方向と右斜め下方向に）延びている。
【００５７】
前記所定の回動角度は、合わせて１２個（６個ずつ）の第１及び第２インシュレータ部材２１，２２を内側規制壁２１ｆ，２２ｆが外側を向くように円環状に配列した際に、第１及び第２インシュレータ部材２１，２２がなす角度に設定されている。この所定の回動角度では、鉤状突出部２２ｈが鉤状切り欠き部２１ｈと一致し、挿入凸部２２ｇを挿入孔２１ｇに挿入可能となる。鉤状突出部２２ｈと鉤状切り欠き部２１ｈとが軸方向に一致した状態で、挿入凸部２２ｇが挿入孔２１ｇに挿入されることにより、第１及び第２インシュレータ部材２１，２２は、交互に配列されると共に互いに回動可能に連結される。尚、合わせて１２個の第１及び第２インシュレータ部材２１，２２の両端部（両端部の第１及び第２インシュレータ部材２１，２２における端部）には、ピン挿入孔２３ａ，２３ｂが形成されている（図１参照）。これらピン挿入孔２３ａ，２３ｂは、軸方向に重なることによりピン１５が挿入される１つのピン挿入孔２３を形成する。そして、ピン挿入孔２３及びピン１５は、隣接する分割コア部１３を切り離し可能且つ回動可能に連結する連結部を構成している。
【００５８】
また、図１に示すように、ステータコア６（分割コア部１３）に第１及び第２インシュレータ部材２１，２２が装着され、１２個の分割コア部１３がティース部８ａ〜８ｌが内側となるように円環状にされた状態では、鉤状突出部２２ｈが鉤状切り欠き部２１ｈと一致しないため、挿入孔２１ｇから挿入凸部２２ｇが抜脱不能となっている。また、第１及び第２インシュレータ部材２１，２２が所定の回動角度をなすように配置された状態であっても、軸方向に沿った方向の力が加えられなければ、挿入凸部２２ｇは挿入孔２１ｇから抜けることはない。
【００５９】
上記のように構成されたインシュレータ４は、前記円弧凸部１１ｆ，１２ｆ同士が軸方向に重なった状態の分割コア部１３に装着される。そして、各分割コア部１３は、インシュレータ４が装着されることにより該インシュレータ４を介して隣接する分割コア部１３に対して回動可能に連結される。尚、挿入孔２１ｇ及び挿入凸部２２ｇの軸中心は、前記円弧凸部１１ｆ，１２ｆ及び前記円弧凹部１１ｇ，１２ｇの軸中心と同じとなるように設定され、該軸中心に隣り合う分割コア部１３が回動可能となっている。また、インシュレータ４（第１及び第２インシュレータ部材２１，２２）は、分割コア部１３の軸方向に一対、即ち軸方向の一方と他方に上下対称にそれぞれ設けられている。
【００６０】
インシュレータ４が装着されたコア６のティース部８ａ〜８ｌには、該インシュレータ４を介して巻線５が巻回される。そして、コア６は、ティース部８ａ〜８ｌが内側となるように環状にされた状態でハウジング３に内環されている。
【００６１】
次に、ステータ１を製造するステータの製造システムについて説明する。図１０に示すように、ステータの製造システムＳは、巻線機３１、引出し線押込み機１０１、及びコア巻取り機２０１を備えて構成されている。
【００６２】
まず、巻線機３１について説明する。図１１乃至図１４に示すように、巻線機３１は、ターンテーブル４１、環状化機構５１、保持機構６１、巻線ガイド７１、フライヤ９１〜９３、巻線案内部９５、及び制御装置（図示略）を備えて構成されている。
【００６３】
図１３に示すように、巻線機３１は、基台３２を備えている。基台３２の上面には、円筒状の載置台３３が上方に向かって突出形成されている。また、基台３２の上面中央部（載置台３３の内側）には、該上面と直交するように回転軸３４が配設されている。回転軸３４の基端（基台３２側の端部）は、基台３２の内部に配置され、同基台３２の内部に設けられたサーボモータ３５の回転軸（図示略）に連結されている。一方、回転軸３４の先端には、ターンテーブル４１が固定されている。そして、サーボモータ３５が駆動されると、回転軸３４が回転され、回転軸３４と共にターンテーブル４１が回転される。図１１に示すように、ターンテーブル４１は、回転軸３４の軸方向から見た形状が正三角形状の三角柱状をなしている。また、ターンテーブル４１は、回転軸３４の軸方向から見ると、３つの角部が丸みを帯びている。巻線機３１を用いてティース部８ａ〜８ｌに巻線５が巻回される際には、このターンテーブル４１の外周に、ティース部８ａ〜８ｌが外側となるように環状に連結された分割コア部１３が配置される。
【００６４】
ターンテーブル４１には、前記環状化機構５１が設けられている。環状化機構５１は、ターンテーブル４１において平面状をなす３つの側面４１ａ〜４１ｃの幅方向中央部で側面４１ａ〜４１ｃと直交する方向（回転軸３４の径方向）に進退可能に設けられた駆動部材５２と、該駆動部材５２の先端部に固定された環状化部材５３とを備えて構成されている。駆動部材５２は、ターンテーブル４１の内部に設けられた図示しない駆動機構によって駆動される。
【００６５】
環状化部材５３は、側面４１ａ〜４１ｃに当接する平面部５３ａと、円弧状をなす円弧面５３ｂとを備え、略蒲鉾状をなしている。円弧面５３ｂは、前記分割コア部１３をティース部８ａ〜８ｌが外側となるように連結して円環状にした場合に分割コア部１３の内側で全ての分割環状部１３ａに接する内接円と同様の曲率で湾曲している。この環状化部材５３は、駆動部材５２によって側面４１ａ〜４１ｃと直交する方向（回転軸３４の径方向）に沿って移動される。そして、駆動部材５２がターンテーブル４１の内側に向かって最も後退されると、平面部５３ａが側面４１ａ〜４１ｃに当接する。また、ターンテーブル４１の外周に環状のコア６が配置された状態において、駆動部材５２がターンテーブル４１の外側に向かって最も進出されると、円弧面５３ｂがそれぞれ３つの分割コア部１３の分割環状部１３ａに当接し、１２個の分割コア部１３を円環状にする。尚、この環状化部材５３は、それだけでコア６を保持するものではない。そのため、回転軸３４の軸方向から見た環状化部材５３の移動範囲内において、環状化部材が最も進出された状態（若しくは僅かに後退された状態）でターンテーブル４１が回転されると、環状化部材５３はコア６に対して周方向に相対移動される。この時、コア６は円環状にされた状態のまま載置台３３上で静止している。尚、ターンテーブル４１及び環状化機構５１は、連結された分割コア部１３を円環状にする場合以外には、分割環状部１３ａに干渉しない大きさ（径方向の大きさ）となっている。
【００６６】
図１４に示すように、前記保持機構６１は、ターンテーブル４１に設けられている。図１２に示すように、保持機構６１は、回転軸３４の軸方向から見ると、３つの前記環状化部材５３の間であって、正三角形状をなすターンテーブル４１の頂部に備えられている。この保持機構６１は、ターンテーブル４１の頂部で回転軸３４の径方向に沿って進退可能に設けられた駆動部材６２と、該駆動部材６２の先端に固定された保持部材６３とを備えて構成されている。駆動部材６２は、ターンテーブル４１の内部に設けられた図示しない駆動機構によって駆動される。
【００６７】
図１２及び図１４に示すように、保持部材６３は、駆動部材６２の先端に固定された保持部材本体６４と、該保持部材本体６４における回転軸３４の軸方向の両端部に一体に形成された一対のプレート保持部６５とを備えて構成され、周方向から見た形状がコ字状をなしている。
【００６８】
各保持部材本体６４は板状をなしており、そのターンテーブル４１の回転方向の幅が、前記分割環状部１３ａの周方向の幅よりも若干小さく形成されている。また、保持部材本体６４における回転軸３４の軸方向に沿った長さは、分割コア部１３（コア６）の軸方向の長さと等しく形成されている。そして、保持部材本体６４における回転軸３４の径方向外側の面である当接円弧面６４ａは、各分割環状部１３ａの反ティース部８ａ〜８ｌ側の面と等しい曲率の円弧状をなしている。この当接円弧面６４ａは、ティース部８ａ〜８ｌに巻線５を巻回する際に、ターンテーブル４１の外周に配置された分割コア部１３と対向する。また、当接円弧面６４ａの幅方向の中央には、回転軸３４の軸方向に沿って延びる係合部６４ｂが一体に形成されている。係合部６４ｂは、分割コア部１３に形成された被係合部１３ｂに対応した形状をなしている。
【００６９】
一対の前記プレート保持部６５は、回転軸３４の径方向外側の一端部が当接円弧面６４ａよりも径方向外側となるようにして保持部材本体６４と一体に形成されている。そして、各プレート保持部６５における回転軸３４の径方向外側の一端面は、前記第１及び第２インシュレータ部材２１，２２の弧状端面部２１ａ，２２ａにおける反ティース部８ａ〜８ｌ側の面と等しい曲率の円弧状をなす当接円弧面６５ａとなっている。そして、前記保持部材本体６４における回転軸３４の軸方向の長さが分割コア部１３の軸方向の長さと等しく形成されていることから、対をなすプレート保持部６５の互いに向き合う面６５ｂ間の距離は、分割コア部１３の軸方向の長さと等しくなっている。
【００７０】
このような保持部材６３と前記環状化部材５３とは、図１１及び図１２に示すように、環状化機構５１の駆動機構によって環状化部材５３がターンテーブル４１から離れる方向に移動（前進）されると、保持機構６１の駆動機構によって保持部材６３が軸方向から見てターンテーブル４１の内側に向かって移動（後退）される。そして、環状化部材５３が側面４１ａ〜４１ｃと直交する方向に沿ってターンテーブル４１から最も離れた位置に移動された状態では、保持部材６３は、軸方向から見た保持部材６３の移動範囲内において、最もターンテーブル４１の内側寄りの位置に配置される。逆に、環状化部材５３が側面４１ａ〜４１ｃと直交する方向に沿ってターンテーブル４１に最も近い位置、即ち平面部５３ａが側面４１ａ〜４１ｃに当接する位置に移動（後退）されると、保持部材６３は、軸方向から見た保持部材６３の移動範囲内において、最もターンテーブル４１の外側寄りの位置まで移動（前進）される。
【００７１】
そして、図１２に示すように、保持部材６３は、ターンテーブル４１の外周に環状のコア６が配置された状態で、軸方向から見て最もターンテーブル４１の外側寄りの位置に配置されると、ティース部８ａ〜８ｌが外側となるように連結された分割コア部１３の内側で、３つ置きの分割コア部１３にそれぞれ当接し当該分割コア部１３を保持する。詳しくは、保持部材６３が前進されると、該保持部材６３によって３つ置きの分割コア部１３が後述のフライヤ９１〜９３に向かって移動される。そして、保持部材６３は、該保持部材６３によって保持された３つの分割コア部１３間に位置する分割コア部１３の分割環状部１３ａが略直線状となるまで、駆動機構によって回転軸３４の径方向に沿ってターンテーブル４１の外側に移動される。この時、保持部材６３は、当該保持部材６３にて保持された分割コア部１３の軸方向、径方向、及び周方向（回転軸３４の軸方向、径方向、及び周方向に沿った方向）の移動を規制している。
【００７２】
図１１及び図１２に示すように、巻線ガイド７１は３つ備えられ、ターンテーブル４１の外周側に配置されている。詳しくは、巻線ガイド７１は、周方向に等角度間隔に配置されると共に、前記保持部材６３間に配置されている。また、巻線ガイド７１は、保持部材６３にて保持された３つの分割コア部１３のティース部（図１２においては、ティース部８ｅ，８ａ，８ｉ）の側方に配置されている。巻線ガイド７１は、巻線ガイド本体７２と、該巻線ガイド本体７２と一体に形成されたガイド部材７３とを備えて構成されている。そして、図１３に示すように、巻線ガイド７１は、一端が該巻線ガイド７１に固定され、他端が回転軸３４に連結されたアーム部材７４によってそれぞれ支持されている。従って、巻線ガイド７１は、ターンテーブル４１と共に回転する。アーム部材７４は、例えばエアシリンダにて駆動され、ターンテーブル４１及び保持部材６３に接触しない範囲で回転軸３４の径方向に沿って移動される。尚、巻線ガイド７１は、ターンテーブル４１と非連結であってもよい。
【００７３】
図１２に示すように、巻線ガイド本体７２は、軸方向から見ると、ターンテーブル４１に近づくに連れて徐々に幅が広くなる台形状をなしている。そして、巻線ガイド本体７２のターンテーブル４１側の面７２ａの幅は、保持部材６３によって３つ置きの分割コア部１３が保持された状態で、保持部材６３によって保持された分割コア部１３間に配置された３つの分割コア部１３のティース部８ｂ〜８ｄ，８ｆ〜８ｈ，８ｊ〜８ｌの幅と略等しく形成されている。また、巻線ガイド本体７２の軸方向の長さは、分割コア部１３の軸方向の長さと略等しく形成されている。
【００７４】
前記ガイド部材７３は、巻線ガイド本体７２の面７２ａにおけるティース部８ａ〜８ｌの配列方向の両端部に延設されている。ガイド部材７３は、各巻線ガイド７１において、該ガイド部材７３の基端から先端に向かうに連れて互いに離れるように形成され、軸方向から見た形状がターンテーブル４１側に開くハの字状となっている。前記エアシリンダが駆動されることによりアーム部材７４を介して巻線ガイド７１がターンテーブル４１側に移動されると、巻線ガイド７１は、保持部材６３によって保持された分割コア部１３間に配置された分割コア部１３が有するティース部８ａ〜８ｌを覆う。
【００７５】
図１１に示すように、巻線ガイド７１間には、フライヤ９１〜９３が配置されている。これらのフライヤ９１〜９３は、保持部材６３にて保持される分割コア部１３を挟んで保持部材６３と対向する位置に配置されている。そして、フライヤ９１〜９３は、保持部材６３によって保持された分割コア部１３のティース部８ａ〜８ｌ、即ちフライヤ９１〜９３に対向されたティース部８ａ〜８ｌに同時に巻線５を巻回する。尚、本実施形態では、フライヤ９１にてＵ相のコイルＵ１〜Ｕ４が巻回され、フライヤ９２にてＶ相のコイルＶ１〜Ｖ４が巻回され、フライヤ９３にてＷ相のコイルＷ１〜Ｗ４が巻回される。
【００７６】
図１３及び図１４に示すように、ターンテーブル４１の上部には、円柱状をなす巻線案内部９５が配置されている。ティース部８ａ〜８ｌに巻線５が巻回される際に、渡り線５ａとなる巻線５が、この巻線案内部９５の外周面９５ａに当接して外周面９５ａ上を伝うことにより、渡り線５ａとなる巻線５の長さが巻線案内部９５によって調節される。
【００７７】
巻線案内部９５は、コア６において渡り線５ａが設けられる軸方向の端面６ａと軸方向に対向して配置されている。巻線案内部９５の外径は、ティース部８ａ〜８ｌを径方向内側として円環状に整形されたコア６の外径と内径（各ティース部８ａ〜８ｌの先端部を通る円Ｃ２の直径）との中間の値となっている。そして、巻線案内部９５の外周面９５ａに当接した巻線５にて形成される渡り線５ａの長さが、製造されたステータ１において、渡り線５ａの一端側の引出し位置Ｘから前記円Ｃ１に沿って同渡り線５ａの他端側の引出し位置Ｘに至る円弧状とすることが可能な長さとなるように、巻線案内部９５の軸方向の配置位置が設定されている（図２参照）。また、巻線案内部９５の外周面９５ａには、引出し線５ｂの長さを調節するための突起部（図示略）が設けられている。このような巻線案内部９５は、モータ等によりコア６の回転と同期して回転するように構成されている。
【００７８】
前記制御装置は、巻線機３１の制御を行うためのものである。前記サーボモータ３５、環状化機構５１の駆動機構、及び保持機構６１の駆動機構等を制御する。
次に、引出し線押込み機１０１について説明する。引出し線押込み機１０１は、ティース部８ａ〜８ｌへの巻線５の巻回が終了した後に、ティース部８ａ〜８ｌを径方向外側として環状化されたコア６の径方向内側に向けて引出し線５ｂを押し込むためのものである。
【００７９】
図１５に示すように、引出し線押込み機１０１は固定テーブル１０２を備えている。この固定テーブル１０２は、引出し線押込み機１０１の基台（図示略）に固定されている。固定テーブル１０２の中央部には、コア配置部１０３が配置されている。コア配置部１０３は略円柱状をなしており、該コア配置部１０３の外周に、ティース部８ａ〜８ｌを径方向外側として円環状にされたコア６が固定される。また、コア配置部１０３の軸方向の長さは、コア６の軸方向の長さよりも短く形成されている。尚、コア配置部１０３に固定されるコア６においては、コイルＵ２とコイルＵ３との間の渡り線５ａ、コイルＶ２とコイルＶ３との間の渡り線５ａ、及びコイルＷ２とコイルＷ３との間の渡り線５ａは、それぞれ各渡り線５ａの中央で切断されて、給電端子（図示略）に接続される引出し線５ｂとなっている。
【００８０】
コア配置部１０３の周囲には、複数（本実施形態では７個）の引出し線保持部１０４が周方向に間隔を空けて配置されている。引出し線保持部１０４の周方向位置は、コア配置部１０３に固定されたコア６における引出し線５ｂの周方向位置に対応して配置されている。各引出し線保持部１０４は、略四角柱状のアーム保持部１０５と、該アーム保持部１０５の先端に設けられた２本のアーム１０６とを備えている。
【００８１】
アーム保持部１０５は、その長手方向がコア配置部１０３の径方向に沿うように配置されている。そして、アーム保持部１０５は、コア配置部１０３の軸方向に沿って移動可能、且つコア配置部１０３の径方向に沿って（図１５においてはアーム保持部１０５の長手方向に沿って）移動可能に構成されている。アーム保持部１０５は、例えば、エアシリンダによりコア配置部１０３の軸方向や径方向に沿って移動される。
【００８２】
各アーム保持部１０５に設けられた２本のアーム１０６は、その基端部を回動中心として回動可能となっている。そして、２本のアーム１０６間に該アーム１０６と略直交するように引出し線５ｂが配置された状態で各引出し線保持部１０４の２本のアーム１０６が回動されると、２本のアーム１０６が交差し、交差したアーム１０６とアーム保持部１０５の先端との間で引出し線５ｂが保持される。
【００８３】
各引出し線保持部１０４と固定テーブル１０２との間には、押込み部１０７が設けられている。押込み部１０７は、引出し線保持部１０４と同数設けられ、コア配置部１０３に固定されたコア６よりもコア配置部１０３の軸方向に沿って固定テーブル１０２から離れた位置に配置されている。これらの押込み部１０７は、棒材１０８と、略直方体状をなす押込み部材１０９とを備え構成されている。棒材１０８は、その長手方向がコア配置部１０３の径方向に沿うように配置されており、押込み部材１０９は、棒材１０８におけるコア配置部１０３側の先端に設けられている。
【００８４】
このような押込み部１０７は、コア配置部１０３の径方向に沿って（図１５においては棒材１０８の長手方向に沿って）移動可能となっている。押込み部１０７は、例えば、エアシリンダによって駆動される。そして、各引出し線保持部１０４にて引出し線５ｂが保持された状態で、押込み部１０７が前進（コア６の中央に向かって移動）されると、引出し線５ｂが、押込み部材１０９によって、ティース部８ａ〜８ｌを径方向外側として円環状にされたコア６の径方向内側に向けて押し込まれる。
【００８５】
コア配置部１０３の周囲には、引出し線保持部１０４の他に、複数（本実施形態では３個）の渡り線ほぐし部１１１が設けられている。渡り線ほぐし部１１１は、引出し線保持部１０４と軸方向に重ならない位置で、周方向に間隔を空けて配置されている。各渡り線ほぐし部１１１は、略四角柱状のほぐし部材保持部１１２と、該ほぐし部材保持部１１２に保持された棒状のほぐし部材１１３とを備えて構成されている。ほぐし部材保持部１１２は、その長手方向が、コア配置部１０３の径方向に沿うように配置されている。そして、ほぐし部材保持部１１２は、コア配置部１０３の軸方向に沿って移動可能に構成されている。ほぐし部材保持部１１２は、例えば、エアシリンダにて移動される。
【００８６】
ほぐし部材１１３は、該ほぐし部材１１３の先端がほぐし部材保持部１１２の先端から突出した状態でほぐし部材保持部１１２内に収容されている。そして、ほぐし部材１１３の先端部は縮径されている。また、ほぐし部材１１３は、コア配置部１０３の径方向に沿って（図１５においてはほぐし部材保持部１１２の長手方向に沿って）、進退可能に構成されている。ほぐし部材１１３は、例えば、エアシリンダにて進退される。ほぐし部材１１３が前進されると、ほぐし部材１１３の先端はコア配置部１０３の略中央部に達する。
【００８７】
コア配置部１０３の周囲には、クランプ機構１１５が設けられている。クランプ機構１１５は、３つのクランプ支持部１１６と、該クランプ支持部１１６の先端に固定されたクランプ部１１７とを備えて構成されている。３つのクランプ支持部１１６は、コア配置部１０３の周囲に等角度間隔に配置されている。クランプ支持部１１６は、コア配置部１０３の径方向に沿って進退可能に形成されている。このクランプ支持部１１６は、例えばエアシリンダにて駆動されて進退する。
【００８８】
各クランプ支持部１１６の先端に固定されたクランプ部１１７は、各クランプ支持部１１６が前進（コア配置部１０３の径方向内側に向かって移動）された状態で、コア配置部１０３の軸方向から見た形状が正１２角形の筒状をなすように構成されている。そして、正１２角形の筒状をなす３つのクランプ部１１７の内側の面１１７ａは、コア配置部１０３の軸方向から見た形状が正１２角形をなすように形成されている。そして、各クランプ支持部１１６が前進された状態では、面１１７ａに対してティース部８ａ〜８ｌの先端が当接される。これにより、クランプ機構１１５は、コア配置部１０３に固定されたコア６を周方向に移動不能に支持する。
【００８９】
図１６に示すように、引出し線押込み機１０１は、制御装置１２１を備えている。制御装置１２１は、引出し線保持部１０４、押込み部１０７、及び渡り線ほぐし部１１１が互いに干渉しないように、これらの動作を制御する。また、制御装置１２１は、クランプ機構１１５の動作を制御する。
【００９０】
次に、コア巻取り機２０１について説明する。コア巻取り機２０１は、ティース部８ａ〜８ｌが径方向内側となるようにコア６を円環状に整形するためのものである。
図１７に示すように、コア巻取り機２０１は、板状の基台（図示略）を備えており、該基台には支柱（図示略）が立設されている。そして、支柱の上端部には、コア固定部２０２が固定されている。コア固定部２０２は、略円柱状をなしており、下端が前記支柱に対して固定されている。コア固定部２０２の軸方向の長さは、コア６の軸方向の長さと略等しく形成されている。また、コア固定部２０２の外径は、ティース部８ａ〜８ｌを径方向外側として円環状にされた状態のコア６の内径と等しく形成されている。また、コア固定部２０２の外周面には、軸方向に沿って延びる溝部２０３が１つ形成されている。そして、コア巻取り機２０１にてコア６が整形される際には、コア固定部２０２の外周にティース部８ａ〜８ｌを径方向外側として円環状にされたコア６が配置される。コア固定部２０２に固定されたコア６においては、ティース部８ｌの周方向位置と溝部２０３の周方向位置とが一致している。
【００９１】
また、図１８に示すように、コア固定部２０２において、コア固定部２０２の外周に配置されたコア６のティース部８ａの周方向位置と一致する位置には、ティース固定部２０４が設けられている。ティース固定部２０４は、略コ字状をなしている。そして、ティース固定部２０４は、ティース部８ａを有する分割コア部１３の軸方向一端側（本実施形態では上側から）から該分割コア部１３に嵌められ、該分割コア部１３を径方向の両側から挟持する。これにより、ティース固定部２０４は、ティース部８ａを有する分割コア部１３をコア固定部２０２に対して径方向及び周方向に移動不能に支持する。
【００９２】
図１７に示すように、前記基台と前記コア固定部２０２との間には、略円板状をなす回転テーブル２０５が設けられている。回転テーブル２０５は、コア固定部２０２よりも軸方向に沿って前記基台寄りの位置、且つ回転テーブル２０５とコア固定部２０２とが径方向に重ならない位置に配置されている。
【００９３】
回転テーブル２０５は、その径方向中央部に貫通孔（図示略）が形成されており、該貫通孔には前記支柱が挿通されている。貫通孔の内周面と支柱の外周面との間には、軸受が介在されており、回転テーブル２０５は、支柱に対して周方向に回転可能に構成されている。そして、回転テーブル２０５は、コア固定部２０２に対し、コア固定部２０２の中心線Ｌ１（コア固定部２０２の径方向の中央部を通ると共に軸方向に延びる直線）を回転軸線として回転される。尚、図１７及び図１８には、回転テーブル２０５の回転角度が０°の状態のコア巻取り機２０１を図示しており、図１９には、回転テーブル２０５の回転角度が３００°の状態のコア巻取り機２０１を図示しており、図２０（ａ）には、回転テーブル２０５の回転角度が３３５°より大きい状態のコア巻取り機２０１を図示している。
【００９４】
図１８に示すように、回転テーブル２０５上には、巻取り体２１１が配置されている。巻取り体２１１は、コア固定部２０２と径方向に並んでいる。この巻取り体２１１は、巻取り台２１２と、巻取り部２１３と、ティース固定部２１４を備えている。
【００９５】
巻取り台２１２は円板状をなしており、その外径は、ティース部８ａ〜８ｌを径方向内側として整形されたコア６の外径よりも若干大きく形成されている。巻取り台２１２は、２つの巻取り台部材２２１，２２２から構成されている。２つの巻取り台部材２２１，２２２はそれぞれ略半円形状をなしており、互いに組み合わされて円板状の巻取り台２１２を構成している。そして、巻取り台部材２２１は、巻取り台２１２の中央から径方向外側にずれた位置にある回動軸２２３を回動中心として、巻取り台部材２２２から離れるように回動可能となっている。本実施形態では、図１９に示すように、回転テーブル２０５が３００°回転された時に、ばね等の付勢力により巻取り台部材２２１が回動されるように構成されている。また、回転テーブル２０５の外周には、巻取り台部材２２１の回動量を規制するための回動ストッパ２２４が設けられている。回動ストッパ２２４は、巻取り台部材２２１が所定量だけ回動した際に、巻取り台部材２２１の外周面が回動ストッパ２２４に当接する位置に配置されている。よって、巻取り台部材２２１は、巻取り台部材２２１の外周面がストッパに当接することにより、その回動が停止される。
【００９６】
前記巻取り部２１３は円柱状をなしており、その外径は、ティース部８ａ〜８ｌを径方向内側として整形されたコア６のティース部８ａ〜８ｌの先端を取る円Ｃ２（図２参照）の直径と等しく形成されている。言い換えると、巻取り部２１３の外径は図１に示すエアギャップＧ（ステータ１とロータ２との間の径方向の隙間）の外径に等しい。この巻取り部２１３は、２つの巻取り部材２３１，２３２から構成されている。２つの巻取り部材２３１，２３２は、軸方向から見た形状が半円形状をなしており、互いに組み合わされて円柱状の巻取り部２１３を構成している。また、巻取り部材２３１は巻取り台部材２２１に一体的に形成され、巻取り部材２３２は巻取り台部材２２２に一体的に形成されている。そして、巻取り台部材２２１が回動軸２２３を回動中心として巻取り台部材２２２から離れるように回動すると、巻取り部材２３１が、回動軸２２３を回動中心として巻取り部材２３２から離れるように回動される。これにより、巻取り部２１３の外周の長さが、ティース部８ａ〜８ｌを径方向内側として整形されたコア６のティース部８ａ〜８ｌの先端を取る円Ｃ２の円周の長さよりも長くなる。因みに、巻取り部２１３の外周の長さは、図１９に示す矢印のように、巻取り部２１３の外周面上を一周した長さである。
【００９７】
図１８に示すように、前記ティース固定部２１４は、巻取り台２１２上に設けられている。詳しくは、ティース固定部２１４は、巻取り台２１２上において、回転テーブル２０５の回転角度が０°の時に、前記コア固定部２０２の溝部２０３と回転テーブル２０５の径方向に沿って対向する位置に立設されている。また、ティース固定部２１４は、回転テーブル２０５の回転角度が０°の時には、コア固定部２０２に形成された溝部２０３内に配置されている。そして、ティース固定部２１４は、巻取り部２１３の外周面との間に、分割コア部１３におけるティース部８ｌの延設方向に沿った長さと等しい間隔を空けて配置されている。このティース固定部２１４は、軸方向から見た形状が、分割コア部１３の分割環状部１３ａと同様に湾曲した板状をなしている。ティース固定部２１４における分割環状部１３ａの周方向に沿った長さは、分割環状部１３ａの周方向の長さよりも短く形成されている。また、ティース固定部２１４の巻取り部２１３側の面には、軸方向に沿って延びる係合部２３５が形成されている。係合部２３５は、各分割コア部１３に形成された被係合部１３ｂに対応した形状をなしている。そして、前記コア固定部２０２にコア６が固定されると、ティース部８ｌを有する分割コア部１３が、巻取り部２１３の外周面とティース固定部２１４との間に配置される。ティース部８ｌを有する分割コア部１３が巻取り部２１３の外周面とティース固定部２１４との間に配置されると、ティース部８ｌの先端面が巻取り部２１３の外周面に当接すると共に、被係合部１３ｂと係合部２３５とが係合され、当該分割コア部１３は巻取り部２１３に対して周方向及び径方向に移動不能に支持される。
【００９８】
このような巻取り体２１１は、前記回転テーブル２０５上に設けられていることから、回転テーブル２０５が回転されると、コア固定部２０２の外周を周回する。また、巻取り体２１１は、回転テーブル２０５の回転角度と同じだけ、巻取り部２１３の中心を通ると共にコア６（コア固定部２０２）の軸方向に沿って延びる当該巻取り部２１３の中心線Ｌ２を回転軸として回転される。言い換えると、巻取り部２１３の回転に応じて回転テーブル２０５が回転される。例えば、回転テーブル２０５が図１７において時計方向に３０°回転されると、それと同時に巻取り体２１１も図１７において時計方向に３０°回転される。巻取り体２１１と回転テーブル２０５とは、例えば複数のギアを組み合わせることにより、同じ回転角度だけ回転するように構成されている。そして、ティース部８ａを有する分割コア部１３がコア固定部２０２に対して周方向に移動不能に支持されると共に、ティース部８ｌを有する分割コア部１３が巻取り部２１３に対して周方向に移動不能に支持された状態で、回転テーブル２０５及び巻取り体２１１が回転されると、巻取り部２１３の外周に順次分割コア部１３が巻き取られていく。
【００９９】
図２０（ａ）に示すように、回転テーブル２０５の下面（前記基台側の面）には、略円柱状をなす突起部２４１が設けられている。また、回転テーブル２０５の回転角度が０°の状態から、回転テーブル２０５が３３５°回転された時に突起部２４１が当接する位置に、回転ストッパ２４２が設けられている。回転ストッパ２４２は、基台に固定されており、付勢部材（例えば圧縮コイルばね）によって回転テーブル２０５の径方向内側に向かって付勢されている。そして、回転テーブル２０５が３３５°回転されると、突起部２４１が回転ストッパ２４２に当接し、回転テーブル２０５の回転が停止される。回転ストッパ２４２が付勢部材の付勢力に抗して回転テーブル２０５の径方向外側に向かって引っ張られると、突起部２４１の軌道から回転ストッパ２４２が取り除かれ、回転テーブル２０５は、回転角度を増す方向（図１７において時計方向）に回転可能となる。
【０１００】
回転テーブル２０５において、巻取り体２１１の近傍には、押圧機構２５１が配置されている。押圧機構２５１は、図２０（ａ）のみに図示している。押圧機構２５１は、コア固定部２０２の軸方向から見た形状が略Ｌ字状をなす押圧部２５２を備えて構成されている。押圧部２５２の一端は、４節のリンク機構２５３を介して操作ハンドル２５４と連結されている。一方、押圧部２５２の他端には、押圧部材２５５が備えられている。そして、押圧機構２５１は、操作ハンドル２５４が回転テーブル２０５から遠ざかるように操作されると、押圧部材２５５が巻取り体２１１から遠ざかるように構成されている。また、押圧機構２５１は、操作ハンドル２５４が回転テーブル２０５に近づくように操作されると、押圧部材２５５が巻取り体２１１に近づくように構成されている。
【０１０１】
また、押圧機構２５１は、ティース部８ａを有する分割コア部１３が最後に巻取り部２１３に巻き取られた後に、操作ハンドル２５４が操作されると、押圧部材２５５の先端部２５６がティース部８ａを有する分割コア部１３の径方向外側の面に当接するように構成されている。そして、ティース部８ａを有する分割コア部１３が最後に巻取り部２１３に巻き取られた後、回転テーブル２０５及び巻取り体２１１が更に回転されると、押圧部材２５５の先端部２５６がティース部８ａを有する分割コア部１３の被係合部１３ｂに係合する。尚、押圧部材２５５は、図示しない付勢手段（例えば圧縮コイルばね）により巻取り部２１３の中央部に向かって付勢されている。この付勢手段によって、ティース部８ａを有する分割コア部１３に対して押圧部材２５５から定圧荷重が付与されるようになっている。この定圧荷重は、巻取り部２１３の径方向に沿った方向の成分と、ティース部８ａを有する分割コア部１３からティース部８ｌを有する分割コア部１３に向かう方向の成分とを有している。
【０１０２】
次に、上記のように構成されたステータの製造システムＳにてステータ１を製造するステータの製造方法について説明する。ステータ１は、ティース部８ａ〜８ｌに巻線５が巻回される巻線工程と、ティース部８ａ〜８ｌを径方向外側として環状化された状態のコア６の径方向内側に向かって引出し線５ｂを押し込む押込み工程（引出し線押込み工程）と、ティース部８ａ〜８ｌが径方向内側となるようにコア６を整形する巻取り工程との３つの工程を経て製造される。
【０１０３】
まず、巻線工程について説明する。巻線工程では、巻線機３１にてティース部８ａ〜８ｌに巻線５が巻回される。
まず、１２個の分割コア部１３が、分割環状部１３ａの円弧凸部１１ｆ，１２ｆ及び円弧凹部１１ｇ，１２ｇにより形成された凹凸を互いに嵌め合わされつつ配列されてコア６が形成される。次いで、この状態のコア６に第１及び第２インシュレータ部材２１，２２が装着される。各分割コア部１３は、第１及び第２インシュレータ部材２１，２２が装着されることにより、互いにバラバラになることが防止されると共に、隣接する分割コア部１３に対して回動可能に連結される。即ち、各分割コア部１３は、第１及び第２インシュレータ部材２１，２２を介して間接的に隣接する分割コア部１３に対して回動可能に連結される。そして、連結された分割コア部１３は、ティース部８ａ〜８ｌが外側となるように環状にされる。この時、連結された第１及び第２インシュレータ部材２１，２２の両端部に形成されたピン挿入孔２３ａ，２３ｂが軸方向に重ねられ、１つのピン挿入孔２３が形成される。そして、ピン挿入孔２３にピン１５が挿入される。これにより、コア６は環状に維持される。尚、ピン１５にて連結された第１インシュレータ部材２１，及び第２インシュレータ部材２２は、ピン１５により回動可能に連結されると共に、ピン挿入孔２３からピン１５を取り外すことにより切り離し可能である。
【０１０４】
次いで、ターンテーブル４１の外周にコア６が配置される。この時、図１１及び図１３に示すように、環状化部材５３が軸方向から見た該環状化部材５３の移動範囲内において最もターンテーブル４１の外側に向かって移動されており、環状化部材５３によってコア６は円環状にされている。そして、コア６は、円環状をなした状態で載置台３３上に載置されている。尚、この時、保持部材６３は、軸方向から見た保持部材６３の移動範囲内で、最もターンテーブル４１の内側寄りの位置に配置されている。また、巻線ガイド７１は、軸方向から見た巻線ガイド７１の移動範囲内で、最もターンテーブル４１から離れた位置に配置されている。
【０１０５】
次いで、図１２及び図１４に示すように、環状化部材５３がターンテーブル４１側に移動（後退）されると共に、保持部材６３が駆動され、軸方向から見た保持部材６３の移動範囲内で最もターンテーブル４１から離れた位置に移動（前進）される。これにより、保持部材６３によって３つ置きの分割コア部１３がフライヤ９１〜９３に向かって移動される。即ち、図１２においては、ティース部８ｅ，８ａ，８ｉがフライヤ９１〜９３に向かって移動され、それぞれフライヤ９１〜９３に対向配置される。そして、３対の保持部材６３は、コア６の内側から３つ置きの分割コア部１３を回転軸３４の軸方向、径方向、及び周方向に沿った方向に移動不能に保持する。
【０１０６】
次いで、巻線ガイド７１が、軸方向から見た巻線ガイド７１の移動範囲内において最もターンテーブル４１側に移動されてティース部８ｅ，８ａ，８ｉの側方に配置される。これにより、保持部材６３によって保持された分割コア部１３間に位置する分割コア部１３のティース部８ｂ〜８ｄ，８ｆ〜８ｈ，８ｊ〜８ｌが、巻線ガイド７１によって覆われる。
【０１０７】
次いで、保持部材６３によって保持された分割コア部１３のティース部８ｅ，８ａ，８ｉにフライヤ９１〜９３にて巻線５が巻回される。詳しくは、フライヤ９１と対向する位置に配置されたティース部８ｅにはＵ相のコイルであるコイルＵ１が巻回され、フライヤ９２と対向する位置に配置されたティース部８ａにはＶ相のコイルであるコイルＶ１が巻回され、フライヤ９３と対向する位置に配置されたティース部８ｉにはＷ相のコイルであるコイルＷ１が巻回される。この時、各ティース部８ｅ，８ａ，８ｉの側方に配置された巻線ガイド７１によって、巻線５は、各ティース部８ｅ，８ａ，８ｉの基端部から巻回されるように案内される。
【０１０８】
ティース部８ｅ，８ａ，８ｉに巻線５が巻回されることによりコイルＵ１，Ｖ１，Ｗ１が形成されると、サーボモータ３５が駆動され、ターンテーブル４１が所定の角度だけ回転される。ここで、所定の角度とは、次に巻線５を巻回するティース部をフライヤ９１〜９３に対向する位置まで移動させるためにコア６を回転させる角度である。従って、ここでは、ターンテーブル４１は、図１２において時計方向に１５０°回転される。この時、ターンテーブル４１に設けられている環状化機構５１及び保持機構６１がターンテーブル４１と共に回転される。同時に、アーム部材７４を介して回転軸３４に接続されている巻線ガイド７１が、ターンテーブル４１と共に回転される。これにより、コア６は、保持部材６３に保持されながら時計方向に１５０°回転される。またこの時、巻線案内部９５が、コア６と同期して回転される。そして、コア６が回転される際には、フライヤ９１〜９３から出てコイルＵ１，Ｖ１，Ｗ１に繋がる巻線５は、巻線案内部９５の外周面９５ａに当接し、外周面９５ａ上を伝う。フライヤ９１〜９３から出てコイルＵ１，Ｖ１，Ｗ１に繋がる巻線５は、それぞれ次に巻回されるコイルＵ２，Ｖ２，Ｗ２に渡る渡り線５ａとなる巻線である。従って、渡り線５ａとなる巻線５が巻線案内部９５に当接された状態でコア６が回転されると、渡り線５ａとなる巻線５は、巻線案内部９５の外周面９５ａに沿って取り回され、巻線案内部９５の外径及びコア６に対する巻線案内部９５の配置位置に応じてその長さが調節される。
【０１０９】
本実施形態では、コイルＵ１と次に巻回されるコイルＵ２とは巻線５の巻回方向が同一方向となるように巻回される。従って、渡り線５ａとなる巻線５が巻線案内部９５の外周面９５ａに当接した状態でコア６が回転されると、コイルＵ１，Ｕ２間の渡り線５ａの長さ（渡り線５ａの引出し位置Ｘ間の長さ）は、１５０°から１つのティース部の周方向幅分の角度を除した角度（即ち約１３５°）分の円Ｃ１（図２参照）における円周の長さに等しい長さになる。同様に、コイルＶ１と次に巻回されるコイルＶ２とは巻線５の巻回方向が同一方向となるように巻回されることから、コイルＶ１，Ｖ２間の渡り線５ａは、巻線案内部９５に案内されることにより、１５０°から１つのティース部の周方向幅分の角度を除した角度分の円Ｃ１における円周の長さに等しい長さになる。また同様に、コイルＷ１と次に巻回されるコイルＷ２とは巻線５の巻回方向が同一方向となるように巻回されることから、コイルＷ１，Ｗ２間の渡り線５ａは、巻線案内部９５に案内されることにより、１５０°から１つのティース部の周方向幅分の角度を除した角度分の円Ｃ１における円周の長さに等しい長さになる。
【０１１０】
次いで、ターンテーブル４１と共に回転した巻線ガイド７１が後退される。即ち、巻線ガイド７１は、軸方向から見た巻線ガイド７１の移動範囲内において最もターンテーブル４１から離れた位置に移動される。その後、保持部材６３が後退されると同時に、環状化部材５３が前進される。これにより、保持部材６３は、軸方向から見た保持部材６３の移動範囲内において最もターンテーブル４１側に移動される。同時に、環状化部材５３は、軸方向から見た環状化部材５３の移動範囲内において、最もターンテーブル４１から離れた位置に移動される。そして、コア６は、環状化部材５３によって内側から円環状にされる。
【０１１１】
次いで、サーボモータ３５が駆動され、ターンテーブル４１が、前記所定の角度と同じ角度だけ逆方向に回転される。即ち、ターンテーブル４１は、反時計方向に１５０°回転される。この時、環状化機構５１、保持機構６１、及び巻線ガイド７１はターンテーブル４１と共に回転されるが、コア６はターンテーブル４１と共に回転せず載置台３３上で静止している。即ち、コア６に対し、ターンテーブル４１、環状化機構５１，保持機構６１、及び巻線ガイド７１が相対回転される。その結果、次に巻線５が巻回されるティース部８ｊ，８ｆ，８ｂの径方向内側に保持部材６３が配置される。
【０１１２】
次いで、環状化部材５３がターンテーブル４１側に移動（後退）されると共に、保持部材６３が、軸方向から見た保持部材６３の移動範囲内で最もターンテーブル４１から離れた位置に移動（前進）される。これにより、保持部材６３は、コア６の内側からティース部８ｊ，８ｆ，８ｂを有する３つの分割コア部１３をフライヤ９１〜９３に向かって移動させると共に保持する。
【０１１３】
次いで、巻線ガイド７１が、軸方向から見た巻線ガイド７１の移動範囲内において最もターンテーブル４１側に移動される。そして、フライヤ９１と対向する位置に配置されたティース部８ｊにはＵ相のコイルであるコイルＵ２が巻回され、フライヤ９２と対向する位置に配置されたティース部８ｆにはＶ相のコイルであるコイルＶ２が巻回され、フライヤ９３と対向する位置に配置されたティース部８ｂにはＷ相のコイルであるコイルＷ２が巻回される。この時、各コイルＵ２，Ｖ２，Ｗ２は、各コイルＵ１，Ｖ１，Ｗ１の巻回方向と同一方向となるように巻回される。
【０１１４】
ティース部８ｊ，８ｆ，８ｂに巻線５が巻回されることによりコイルＵ２，Ｖ２，Ｗ２が形成されると、サーボモータ３５が駆動され、ターンテーブル４１が所定の角度（ここでは３０°）だけ時計方向に回転される。これにより、ターンテーブル４１と共に保持機構６１が回転され、コア６が保持部材６３に保持されながら時計方向に３０°回転される。この時、巻線案内部９５がコア６と同期して回転されると共に、巻線案内部９５の外周面９５ａに形成された突起部に、フライヤ９１〜９３から出てコイルＵ２，Ｖ２，Ｗ２に繋がる巻線５が引っ掛けられて当該巻線５の長さが調節される。詳しくは、外周面９５ａに形成されフライヤ９１〜９３から出てコイルＵ２，Ｖ２，Ｗ２に繋がる巻線５は、引出し線５ｂとなる巻線５であるため、突起部に引っ掛けられることにより、コア６の回転角度分（３０°分）だけ外周面９５ａ上を伝う場合よりも長めに形成される。
【０１１５】
次いで、巻線ガイド７１及び保持部材６３が後退されると同時に環状化部材５３が前進され、コア６が円環状にされる。その後、ターンテーブル４１が反時計方向に３０°回転される。そして、環状化部材５３が後退されると共に、保持部材６３が前進される。これにより、保持部材６３は、コア６の内側からティース部８ｋ，８ｇ，８ｃを有する３つの分割コア部１３をフライヤ９１〜９３に向かって移動させると共に保持する。
【０１１６】
次いで、巻線ガイド７１が、軸方向から見た巻線ガイド７１の移動範囲内において最もターンテーブル４１側に移動される。そして、フライヤ９１と対向する位置に配置されたティース部８ｋにはＵ相のコイルであるコイルＵ３が巻回され、フライヤ９２と対向する位置に配置されたティース部８ｇにはＶ相のコイルであるコイルＶ３が巻回され、フライヤ９３と対向する位置に配置されたティース部８ｃにはＷ相のコイルであるコイルＷ３が巻回される。
【０１１７】
ティース部８ｋ，８ｇ，８ｃに巻線５が巻回されることによりコイルＵ３，Ｖ３，Ｗ３が形成されると、サーボモータ３５が駆動され、ターンテーブル４１が所定の角度（ここでは１５０°）だけ時計方向に回転される。これにより、ターンテーブル４１と共に保持機構６１が回転され、コア６が保持部材６３に保持されながら時計方向に１５０°回転される。また、巻線案内部９５がコア６と同期して回転される。この時、渡り線５ａとなる巻線５（フライヤ９１〜９３から出てコイルＵ３，Ｖ３，Ｗ３に繋がる巻線５）が巻線案内部９５に当接された状態でコア６が回転されるため、渡り線５ａとなる巻線５は、巻線案内部９５の外周面９５ａに沿って取り回され、巻線案内部９５の外径に応じてその長さが調節される。即ち、コイルＵ３，Ｕ４間、コイルＶ３，Ｖ４間、及びコイルＷ３，Ｗ４間の渡り線５ａは、コイルＵ１，Ｕ２間、コイルＶ１，Ｖ２間、コイルＷ１，Ｗ２間の渡り線５ａと同様に、巻線案内部９５の外周面９５ａ上を伝うことにより、１５０°から１つのティース部の周方向幅分の角度を除した角度分の円Ｃ１における円周の長さに等しい長さになる。
【０１１８】
次いで、巻線ガイド７１及び保持部材６３が後退されると同時に環状化部材５３が前進され、コア６が円環状にされる。その後、ターンテーブル４１が反時計方向に１５０°回転される。そして、環状化部材５３が後退されると共に、保持部材６３が前進される。これにより、保持部材６３は、コア６の内側からティース部８ｄ，８ｌ，８ｈを有する３つの分割コア部１３をフライヤ９１〜９３に向かって移動させると共に保持する。
【０１１９】
次いで、巻線ガイド７１が、軸方向から見た巻線ガイド７１の移動範囲内において最もターンテーブル４１側に移動される。そして、フライヤ９１と対向する位置に配置されたティース部８ｄにはＵ相のコイルであるコイルＵ４が巻回され、フライヤ９２と対向する位置に配置されたティース部８ｌにはＶ相のコイルであるコイルＶ４が巻回され、フライヤ９３と対向する位置に配置されたティース部８ｈにはＷ相のコイルであるコイルＷ４が巻回される。
【０１２０】
ティース部８ｄ，８ｌ，８ｈに巻線５が巻回されることによりコイルＵ４，Ｖ４，Ｗ４が形成されると、巻線ガイド７１及び保持部材６３が後退されると同時に環状化部材５３が前進され、コア６が円環状にされる。そして、フライヤ９１〜９３からコイルＵ４，Ｖ４，Ｗ４が切り離され、巻線工程が終了する。巻線工程終了後のコア６において、渡り線５ａ及び引出し線５ｂは、巻線案内部９５と対向するコア６の端面６ａ側で、ティース部８ａ〜８ｌを径方向外側として円環状にされたコア６の径方向内側の部分に配置された状態となっている。巻線工程の終了後、図２１に示すように、コイルＵ２，Ｕ３間、コイルＶ２，Ｖ３間、コイルＷ２，Ｗ３間の渡り線５ａは、その中央（渡り線５ａの長手方向中央部）で切断されて引出し線５ｂとなる。
【０１２１】
次に、押込み工程について説明する。押込み工程では、まず、図１５に示すように、巻線工程終了後のコア６が、引出し線押込み機１０１の固定テーブル１０２上に配置される。コア６は、コア配置部１０３の外周に、ティース部８ａ〜８ｌを径方向外側として円環状にされた状態で固定される。コア配置部１０３に固定されたコア６においては、引出し線５ｂの周方向位置と、引出し線保持部１０４及び押込み部１０７の周方向位置とが一致している。この時、クランプ機構１１５の各クランプ支持部１１６は後退（コア配置部１０３の径方向外側に向かって移動）されている。また、各引出し線保持部１０４のアーム保持部１０５、各押込み部１０７、及び各渡り線ほぐし部１１１のほぐし部材１１３が後退されている。更に、各アーム保持部１０５は上昇されおり、各ほぐし部材保持部１１２は下降されている。
【０１２２】
その後、各クランプ支持部１１６が前進されて、各ティース部８ａ〜８ｌの先端にクランプ部１１７の内側の面１１７ａが当接する。これにより、コア６は、クランプ機構１１５によって周方向に移動不能に支持される。
【０１２３】
次いで、各ほぐし部材１１３が前進される。そして、各ほぐし部材１１３の先端がコア６の端面６ａ側でコア６の径方向中央部付近まで前進されると、各ほぐし部材保持部１１２は、コア配置部１０３の軸方向に沿って上方（固定テーブル１０２から離れる方向）に移動される。すると、ほぐし部材１１３によって、コイルＵ１，Ｕ２間、コイルＵ３，Ｕ４間、コイルＶ１，Ｖ２間、コイルＶ３，Ｖ４間、コイルＷ１，Ｗ２、及びコイルＷ３，Ｗ４間をそれぞれ接続する渡り線５ａの略中央部が上方へ引っ張られる。これにより、各渡り線５ａは略アーチ状に変形され、ほぐされる。
【０１２４】
次いで、各ほぐし部材１１３が前進し各ほぐし部材保持部１１２が上昇されたままの状態で、各アーム保持部１０５が下降される。各アーム保持部１０５は、コア６に当接しない程度の位置まで下降される。その後、各アーム保持部１０５が前進されることにより、各アーム保持部１０５の先端に設けられた２本のアーム１０６間に引出し線５ｂが配置される。この状態で、各アーム保持部１０５の２本のアーム１０６が互いに近づくように回動され、交差した２本のアーム１０６とアーム保持部１０５の先端との間で引出し線５ｂが保持される。そして、アーム１０６と共に引出し線５ｂを保持した状態のまま、アーム保持部１０５が上昇される。
【０１２５】
次いで、押込み部１０７が前進される。これにより、アーム１０６及びアーム保持部１０５にて保持されていた引出し線５ｂが、押込み部１０７の押込み部材１０９によって、ティース部８ａ〜８ｌを径方向外側として円環状にされたコア６の径方向内側に向かって押し込まれる。引出し線５ｂが当該コア６の径方向内側に向かって押し込まれると、押込み部１０７は後退される。
【０１２６】
次いで、ほぐし部材１１３が後退される。また、アーム１０６が互いに離れる方向に回動された後に、アーム保持部１０５が後退される。そして、各クランプ支持部１１６が後退され、クランプ部１１７によるコア６の支持が解除される。その後、コア６がコア配置部１０３から取り外されて押込み工程が終了する。図２３に、押込み工程が終了した後のコア６を示す。図２３に示すように、ティース部８ａ〜８ｌを径方向外側として円環状にされたコア６の径方向内側に向かって引出し線５ｂが押し込まれ、該引出し線５ｂは径方向に沿って延びている。また、各渡り線５ａは略アーチ状をなしている。
【０１２７】
次に、巻取り工程ついて説明する。図１７に示すように、巻取り工程では、まず、コア巻取り機２０１のコア固定部２０２の外周に、ほぐし工程終了後のコア６が配置される。コア６は、ティース部８ａ〜８ｌを径方向外側として円環状にされている。コア６は、回転テーブル２０５の回転角度が０°の状態（コア固定部２０２に形成された溝部２０３内に巻取り体２１１に設けられたティース固定部２１４が配置されている状態）の時にコア固定部２０２に固定される。そして、コア６がコア固定部２０２に固定されると、ティース部８ｌを有する分割コア部１３は、巻取り部２１３の外周面とティース固定部２１４との間に配置される。この時、ティース部８ｌを有する分割コア部１３の分割環状部１３ａに形成された被係合部１３ｂに、ティース固定部２１４の係合部２３５が係合される。従って、ティース固定部２１４により、ティース部８ｌを有する分割コア部１３は、ティース部８ｌを巻取り部２１３の径方向内側に向けて巻取り部２１３と一体回転可能に支持されると共に、巻取り部２１３に対して周方向に移動不能に固定される（図１８参照）。
【０１２８】
次いで、ティース固定部２０４によって、ティース部８ａを有する分割コア部１３が挟持され、ティース部８ａを有する分割コア部１３は、コア固定部２０２に対して周方向に移動不能に固定される。この状態で、ピン挿入孔２３からピン１５が取り外される。従って、１２個の分割コア部１３が連結されてなるコア６の一端にある分割コア部１３（ティース部８ｌを有する分割コア部１３）が巻取り部２１３と一体回転可能に支持され、他端にある分割コア部１３（ティース部８ａを有する分割コア部１３）がコア固定部２０２に対して固定された状態となる。
【０１２９】
次いで、回転テーブル２０５が、図１７における時計方向に回転され、回転テーブル２０５上に設けられた巻取り体２１１がコア固定部２０２の外周を周回する。同時に、回転テーブル２０５の回転に伴って巻取り体２１１が回転テーブル２０５と同じ回転角度ずつ回転される。巻取り体２１１は、回転テーブル２０５の回転方向と同方向（本実施形態では時計方向）に回転される。そして、回転テーブル２０５及び巻取り体２１１が３０°回転する毎に、１つの分割コア部１３が、ティース部８ｂ〜８ｋを巻取り部２１３の径方向内側に向けて巻取り部２１３の外周に巻き取られていく。
【０１３０】
そして、回転テーブル２０５及び巻取り体２１１が３００°回転したところ、即ち１１個目の分割コア部１３が巻取り部２１３に巻き取られたところで、巻取り台部材２２１が、ばね等の付勢力により巻取り台部材２２２から離れるように回動される（図１９参照）。これにより、巻取り部材２３１が巻取り台部材２２１と共に回動され、巻取り部材２３２から離れた位置に配置される。巻取り部材２３２に対して巻取り部材２３１が回動されると、巻取り部２１３の外周の長さ（巻取り部２１３の外周を一回りした長さ）は、ティース部８ａ〜８ｌを径方向内側として整形されたコア６のティース部８ａ〜８ｌの先端を通る円Ｃ２（図２参照）の円周の長さよりも長くなる。
【０１３１】
この状態で、回転テーブル２０５及び巻取り体２１１が更に回転され、１２個目の分割コア部１３（最後の分割コア部）、即ちティース部８ａを有する分割コア部１３が巻取り部２１３の外周に巻き取られる。この時、巻取り部２１３の外周の長さが前記円Ｃ２の円周の長さよりも長くなっていることから、ティース部８ａを有する分割コア部１３がティース部８ｌを有する分割コア部１３に接触することが防止されている。詳しくは、図２２に示すように、ティース部８ａを有する分割コア部１３は、当該分割コア部１３に装着された第１インシュレータ部材２１に形成された挿入孔２１ｇの中心を通ると共にコア６の軸方向に沿って延びる直線を回動軸線として回動されて、巻取り部２１３に巻き取られる。図２２には、ティース部８ａの先端における２つの角部のうちティース部８ｌと隣接される側の角部Ｋ１（ティース部８ａを有する分割コア部１３に装着された第１インシュレータ部材２１の側面部２１ｄにおけるティース部８ａの先端側の端部）の軌跡を一点鎖線にて図示している。また、ティース部８ａを有する分割コア部１３の分割環状部１３ａにおいて、ティース部８ｌを有する分割コア部１３側の周方向端部に形成された角部Ｋ２の軌跡を二点鎖線にて図示している。図２２を見て分かるように、巻取り部２１３の外周の長さが前記円Ｃ２の円周の長さよりも長くなっていることから、前記角部Ｋ１及び角部Ｋ２は、ティース部８ａを有する分割コア部１３が巻取り部２１３に巻き取られる際に、ティース部８ｌを有する分割コア部１３の分割環状部１３ａにおけるティース部８ａ側の周方向端部Ｅに接触しない。即ち、前記巻取り部材２３２に対する前記巻取り部材２３１の回動角度は、最後に巻き取られる分割コア部１３の角部Ｋ１，Ｋ２が、最初に巻き取られた分割コア部１３の周方向端部Ｅに接触することなく、最後の分割コア部１３を巻き取ることができる大きさに設定されている。
【０１３２】
巻取り部２１３の外周に最後の分割コア部１３が巻取られた後、回転テーブル２０５及び巻取り体２１１は更に回転される。また、回転テーブル２０５及び巻取り体２１１の回転に伴って、巻取り台部材２２１が巻取り台部材２２２に近づく方向に回動され、巻取り部材２３１が巻取り部材２３２に近づく方向に回動される。そして、回転テーブル２０５の回転角度が３３５°となったところで、回転テーブル２０５に形成された突起部２４１が回転ストッパ２４２に当接し、回転テーブル２０５の回転が停止される（図２０参照）。この時、巻取り部材２３１，２３２は、前記円Ｃ２の直径と等しい外径を有する円柱状の巻取り部２１３を構成している。またこの時、最後に巻き取られた分割コア部１３の分割環状部１３ａにおける周方向端部に形成された複数の凹凸が、最初に巻き取られた分割コア部１３の分割環状部１３ａの周方向端部に形成された複数の凹凸に対してかるく噛み合った状態となっている。尚、複数の凹凸とは、前記円弧凸部１１ｆ，１２ｆ及び前記円弧凹部１１ｇ，１２ｇにより形成された凹凸である（図３（ｂ）参照）。
【０１３３】
次いで、押圧機構２５１の操作ハンドル２５４が回転テーブル２０５に近づくように操作され、押圧部材２５５の先端部２５６がティース部８ａを有する分割コア部１３の径方向外側の面に当接する。また、１２個目の分割コア部１３、即ちティース部８ａを有する分割コア部１３をコア固定部２０２に対して周方向に移動不能に固定していたティース固定部２０４が当該分割コア部１３から取り外され、ティース固定部２０４による当該分割コア部１３の支持が解除される。そして、回転ストッパ２４２が回転テーブル２０５の径方向外側に向かって引っ張られ、回転テーブル２０５は、回転角度を増す方向に回転可能となる。
【０１３４】
その後、回転テーブル２０５が更に回転されると共に巻取り体２１１が更に回転され、押圧部材２５５の先端部２５６が、ティース部８ａを有する分割コア部１３に形成された被係合部１３ｂに係合される。そして、ティース部８ａを有する分割コア部１３は、押圧機構２５１によって、ティース部８ｌを有する分割コア部１３に向かって押圧される。この状態で、回転テーブル２０５及び巻取り体２１１は回転角度が３６０°となるまで回転される。すると、ティース部８ａを有する分割コア部１３が押圧機構２５１によって押圧されていることから、ティース部８ａを有する分割コア部１３の周方向端部に形成された前記複数の凹凸と、ティース部８ｌを有する分割コア部１３の周方向端部に形成された前記複数の凹凸とが完全に嵌り合う。こうして、コア６は、ティース部８ａ〜８ｌを径方向内側として円環状に整形される。またこの時、合わせて１２個の第１及び第２インシュレータ部材２１，２２の両端部にそれぞれ形成されたピン挿入孔２３ａ，２３ｂが軸方向に一致し、一つのピン挿入孔２３が形成される。そして、このピン挿入孔２３にピン１５が挿入され、コア６は円環状に保たれる。
【０１３５】
次いで、押圧機構２５１の操作ハンドル２５４が回転テーブル２０５に近づくように操作され、押圧機構２５１によるティース部８ａを有する分割コア部１３の押圧が解除される。その後、巻取り部２１３からコア６が取り外されて巻取り工程が終了する。
【０１３６】
図２４に、巻取り工程が終了した後のコア６を示す。押し込み工程でティース部８ａ〜８ｌを径方向外側として円環状にされたコア６の径方向内側に向かって引出し線５ｂが押し込まれたため、巻取り工程にてティース部８ａ〜８ｌを径方向内側として整形されたコア６においては、引出し線５ｂが径方向外側に向かって放射状に延びた状態となっている。また、渡り線５ａは、引出し線５ｂよりもコア６の径方向内側寄りの位置に配置されている。
【０１３７】
コア巻取り機２０１にてコア６がティース部８ａ〜８ｌを径方向内側として円環状に整形された後、渡り線５ａが整形される。渡り線５ａは、図２５に示すように、コア６の軸方向から見て、第１及び第２インシュレータ部材２１，２２の弧状端面部２１ａ，２２ａと内側規制壁２１ｆ，２２ｆとの間に収まるように整えられる。また、渡り線５ａは、円環状のコア６の周方向に沿った円弧状に整えられる。これにより、ステータ１が完成する。尚、エアギャップＧ（図１参照）の外径と等しい外径を有する心金の外周にステータ１を配置し、ステータ１を心金の外周面に密着させつつ、ティース部８ａを有する分割コア部１３とティース部８ｌを有する分割コア部１３との繋ぎ目を溶接等により接合してもよい。そして、径方向外側に向かって放射状に延びる各引出し線５ｂは、給電端子（図示略）に接続される。
【０１３８】
ここで、角度ピッチＰと、巻取り必要長さ係数α及び渡り線長さ係数βとの関係を表すグラフを図２６に示す。因みに、渡り線にて接続されたコイルとは、連続して巻線が巻回されてなる２つのコイルのことである。また、角度ピッチＰとは、連続して巻線が巻回されてなる２つのコイルを有する２つのティース部間の角度である。
【０１３９】
また、巻取り必要長さ係数αについて、図２７を用いて説明する。円Ｃ５は、ティース部を径方向外側として円環状にされたコアにおいて、各ティース部の基端部を通る円である。円Ｃ５上に示す点Ａ１〜Ａ１２は、ティース部が１２個である場合に、ティース部の基端部における幅方向の中央部となる位置を示している。従って、点Ａ１〜Ａ１２は、円Ｃ５上において、周方向に等角度間隔、即ち３０°間隔となっている。また、図２７には、ティース部を径方向内側として円環状に整形したコアにおける各ティース部の先端を通る円の直径と等しい外径を有する巻取り部２１３を用いて、ティース部が径方向内側となるようにコアを整形した場合に点Ａ１が描く軌跡Ｌ５を図示している。更に、図２７には、基端部における幅方向中央部が点Ａ１となるティース部と、基端部における幅方向中央部が点Ａ２〜Ａ１２となる各ティース部とにそれぞれ連続してコイルが巻回された場合に、巻取り部２１３の外周にティース部が径方向内側となるようにコアを巻き取るために最低限必要な長さとなる渡り線Ｂ２〜Ｂ１２を二点差線にて図示している。尚、各渡り線の引出し位置Ｘ（図１参照）は点Ａ１〜Ａ１２付近となるため、図２７においては、最低限必要な長さとなる渡り線を図示するに当たり、点Ａ１〜Ａ１２を引出し位置Ｘに見立てて最低限必要な長さとなる渡り線Ｂ２〜Ｂ１２を図示している。この最低限必要な長さとなる渡り線Ｂ２〜Ｂ１２は、基端部における幅方向中央部が点Ａ２〜Ａ１２となる各ティース部が巻き取られるまでの点Ａ１の軌跡Ｌ５と、各点Ａ２〜Ａ１２との間の距離が最も長くなる直線である。従って、例えば、ティース部間の角度ピッチＰが１２０°となる２つのティース部を有するコアが、巻取り部２１３の外周に巻き取られる際には、当該２つのティース部に巻回されたコイル間の最低限必要な長さとなる渡り線はＢ５である。また、ティース部間の角度ピッチＰが３００°となる２つのティース部を有するコアが、巻取り部２１３の外周に巻き取られる際には、当該２つのティース部に巻回された２つのコイル間の最低限必要な長さとなる渡り線はＢ１１である。
【０１４０】
そして、前記巻取り必要長さ係数αは、巻取り部２１３の外周にティース部が径方向内側となるようにコアを巻き取るために最低限必要な長さとなる渡り線Ｂ２〜Ｂ１２の長さを、前記円Ｃ５の半径でそれぞれ除した値である。
【０１４１】
更に、渡り線長さ係数βについて説明すると、渡り線長さ係数βは、製造されたステータ１における渡り線の引出し位置Ｘを通る円Ｃ１（図２参照）における、連続して巻回されるコイルを有する２つのティース部間の角度ピッチＰ分の円周の長さを、前記円Ｃ５の半径で除した値である。
【０１４２】
そして、図２６に示すグラフを見ると、ティース部間の角度ピッチＰが１２０°以上となる場合には、渡り線長さ係数βが巻取り必要長さ係数αを上回っている。従って、連続して巻回されるコイルを有する２つのティース部間の角度ピッチＰを１２０°以上にすると共に、渡り線の長さを、当該２つのティース部間の角度ピッチ分の前記円Ｃ１の円周の長さとすると、渡り線は、巻取り部２１３の外周にティース部が径方向内側となるようにコアを巻き取るために最低限必要な長さよりも長くなる。
【０１４３】
尚、図２６及び図２７に関する上記の説明においては、角度ピッチＰを、ティース部間の角度ピッチ（連続して巻線が巻回されてなる２つのコイルを有する２つのティース部間の角度）としている。しかしながら、当然、角度ピッチＰを渡り線の両端の引出し位置間の角度ピッチ（円環状にされたコア６の中心Ｏ１をその中心とし引出し位置Ｘを通る円Ｃ１における渡り線の両端の引出し位置間の円弧の中心角）として考えた場合にも同様のことが言える。即ち、連続して巻回されるコイル間を渡る渡り線の両端の引出し位置間の角度ピッチを１２０°以上にすると共に、当該渡り線の長さを該渡り線の両端の引出し位置間の角度ピッチ分の前記円Ｃ１の円周の長さとすると、渡り線は、巻取り部２１３の外周にティース部が径方向内側となるようにコアを巻き取るために最低限必要な長さよりも長くなる。
【０１４４】
ところで、連続して巻回されるコイルの巻回方向が互いに逆向きである場合には、これらのコイルが巻回されるティース部間の角度ピッチと、これらのコイル間を渡る渡り線の両端の引出し位置間の角度ピッチとは一致する。従って、角度ピッチＰをティース部間の角度ピッチとして考えればよい。しかしながら、連続して巻回されるコイルの巻回方向が同じ向きである場合には、これらのコイルが巻回されるティース部間の角度ピッチと、これらのコイル間を渡る渡り線の両端の引出し位置間の角度ピッチとは、僅かではあるがズレを生じる。従って、本実施形態のように、連続して巻回されるコイル（コイルＵ１，Ｕ２等）の巻回方向が互いに同じ向きである場合には、角度ピッチＰを渡り線の両端の引出し位置間の角度ピッチとして考えるのが妥当である。
【０１４５】
例えば、本実施形態では、図２に示すように、渡り線５ａにて接続されたコイルＵ１，Ｕ２は、ティース部８ｅ，８ｊに巻回されており、ティース部８ｅとティース部８ｊとの角度ピッチＰは、１５０°である。そして、コイルＵ１とコイルＵ２とは、巻線５の巻回方向が同じ方向であることから、コイルＵ１，Ｕ２間を渡る渡り線５ａの両端の引出し位置Ｘ間の角度ピッチは、１５０°から１つのティース部の周方向幅分の角度を除した角度である約１３５°となる。従って、コイルＵ１，Ｕ２間を渡る渡り線５ａは、巻線工程において、巻線案内部９５の外周面９５ａ上を伝うことにより、１５０°からティース部１個分の幅分の中心角を除した角度（約１３５°）分の前記円Ｃ１の円周の長さとなるように形成される。そして、コイルＵ３，Ｕ４、コイルＶ１，Ｖ２、コイルＶ３，Ｖ４、コイルＷ１，Ｗ２、及びコイルＷ３，Ｗ４も、コイルＵ１，Ｕ２と同様の関係を有している。従って、コイルＵ３，Ｕ４間、コイルＶ１，Ｖ２間、コイルＶ３，Ｖ４間、コイルＷ１，Ｗ２間、及びコイルＷ３，Ｗ４間の渡り線５ａも、コイルＵ１，Ｕ２間の渡り線５ａと同様に１５０°から１つのティース部の周方向幅分の角度を除した角度（約１３５°）分の前記円Ｃ１の円周の長さとなるように形成される。このように、渡り線５ａの引出し位置Ｘ間の角度ピッチが１２０°よりも大きいことから、巻線案内部９５の外周面９５ａに当接して形成された各渡り線５ａの長さは、巻取り部２１３の外周にティース部８ａ〜８ｌが径方向内側となるようにコア６を巻き取る場合に最低限必要な渡り線の長さよりも長い。そのため、コア巻取り機２０１にて、ティース部８ａ〜８ｌを径方向外側として円環状にされたコア６を、ティース部８ａ〜８ｌを径方向内側として整形する際に、渡り線５ａの長さに余裕が生じる。従って、ティース部８ａ〜８ｌを径方向内側としてコア６を容易に整形することができる。また、渡り線５ａの長さに余裕があるため、ティース部８ａ〜８ｌを径方向内側としてコア６を整形する工程の高速化が可能となる。
【０１４６】
上記したように、本実施形態によれば、以下の作用・効果を有する。
（１）巻取り部２１３が該巻取り部２１３の中心線Ｌ２を回転軸として回転されると、巻取り部２１３の外周に複数の分割コア部１３がティース部８ａ〜８ｌを径方向内側として巻き取られていく。従って、ティース部８ａ〜８ｌを径方向内側としてコア６を容易に丸められる。また、複数の分割コア部１３が巻取り部２１３の外周に巻き取られることにより、コア６は、ティース部８ａ〜８ｌが径方向内側となるように丸められる。従って、渡り線５ａが長すぎる場合であっても、ティース部８ａ〜８ｌを径方向内側としてコア６を丸める工程は渡り線５ａによって邪魔され難い。これらのことから、ティース部８ａ〜８ｌが径方向内側となるようにコア６を整形する工程を容易に行うことができる。
【０１４７】
（２）ティース部８ａを有する分割コア部１３は、巻取り部２１３の外周に最後に巻き取られる。そして、ティース部８ａを有する分割コア部１３が巻取り部２１３の外周に巻き取られる際には、巻取り部材２３２に対して巻取り部材２３１が回動されていることから、巻取り部２１３の外周の長さが、ティース部８ａ〜８ｌを径方向内側として整形されたコア６におけるティース部８ａ〜８ｌの先端を通る円Ｃ２の円周の長さよりも長くなっている。従って、最初に巻取り部２１３に巻き取られたティース部８ｌを有する分割コア部１３の分割環状部１３ａにおけるティース部８ａ側の周方向端部Ｅに、最後に巻取り部２１３に巻き取られる分割コア部１３のティース部８ａの角部Ｋ１及び同分割コア部１３の分割環状部１３ａにおけるティース部８ｌ側の角部Ｋ２が接触しない。その結果、最初に巻取り部２１３に巻き取られた分割コア部１３によって、最後に巻取り部２１３に巻き取られる分割コア部１３が巻取り部２１３に巻き取られることを妨げられるという不都合を回避し易い。よって、ティース部８ａ〜８ｌが径方向内側となるようにコア６を整形する工程をより容易に行うことができる。
【０１４８】
（３）フライヤ９１〜９３に対してコア６が回転される際、渡り線５ａとなる巻線５は、巻線案内部９５の外周面９５ａによって案内される。従って、巻線案内部９５の大きさによって、渡り線５ａの長さを調節することができ、渡り線５ａが短すぎたり長すぎたりすることを抑制することができる。その結果、渡り線５ａの長さが短すぎてティース部８ａ〜８ｌを径方向内側としてコア６を丸める工程が困難となったり、渡り線５ａの長さが長すぎて、ティース部８ａ〜８ｌが径方向内側となるようにコア６を整形する際に、渡り線が邪魔となり、コア６を整形する工程に時間がかかってしまったりするという不都合を減らすことができる。従って、ティース部８ａ〜８ｌが径方向内側となるようにコア６を整形する工程を更に容易に行うことができる。
【０１４９】
（４）巻線工程中には、渡り線５ａは、巻線案内部９５の外周面９５ａ上に配置されることになる。従って、ティース部８ａ〜８ｌに巻線５が巻回される際に、フライヤ９１〜９３や巻回中の巻線５等に渡り線５ａが接触することが抑制される。その結果、巻線工程を容易に行うことができる。
【０１５０】
（５）本実施形態では、巻線案内部９５の外径は、ティース部８ａ〜８ｌを径方向内側として円環状に整形されたコア６の外径と内径との中間の値となっている。そして、巻線案内部９５は、コア６において渡り線５ａが設けられる軸方向の端面６ａと軸方向に対向して配置されている。更に、巻線案内部９５の外周面９５ａに当接した巻線５にて形成される渡り線５ａの長さが、製造されたステータ１において、渡り線５ａの一端側の引出し位置Ｘから円Ｃ１に沿って同渡り線５ａの他端側の引出し位置Ｘに至る円弧状とすることが可能な長さとなるように、巻線案内部９５の軸方向の配置位置が設定されている。従って、この巻線案内部９５を使用して巻線工程を行って製造されたステータ１では、渡り線５ａを、ティース部８ａ〜８ｌを径方向内側として整形されたコア６における渡り線５ａの引出し位置Ｘを通る円Ｃ１に沿った円弧状とすることができ、渡り線５ａにおけるステータ１の径方向に沿った無駄が省かれる。そのため、渡り線が長すぎることによって電気抵抗が大きくなることを防止し、ブラシレスモータＭの効率の低下を抑制することができる。
【０１５１】
（６）巻取り部２１３は、回転テーブル２０５上に設けられていることから、回転テーブル２０５が回転すると、ティース部８ａ〜８ｌを径方向内側として円環状にされたコア６が配置されたコア固定部２０２の外周を周回する。また同時に、巻取り部２１３は、回転テーブル２０５の回転に応じて、当該巻取り部２１３の中心線Ｌ２を回転軸として回転する。そして、巻取り部２１３及び回転テーブル２０５のこれらの動作により、巻取り部２１３の外周に複数の分割コア部１３が巻き取られる。従って、ティース部８ａ〜８ｌを径方向内側としてコア６を丸める工程を自動化することができる。また、コア巻取り機２０１にて複数の分割コア部１３を巻き取ると、コア６が一直線上となることがない。そのため、ティース部８ａ〜８ｌが径方向内側となるようにコア６を丸める際に必要な渡り線５ａの長さは、コア６が直線状にされた状態から巻き取る場合よりも短くてもよい。よって、コア６が直線状にされた状態から複数の分割コア部１３を巻き取る場合よりも、渡り線５ａの長さを短くすることが可能となり、ティース部８ａ〜８ｌが径方向内側となるようにコア６を丸める際に、渡り線５ａが邪魔になることをより抑制することができる。即ち、ティース部８ａ〜８ｌを径方向内側としてコア６を丸める工程が、渡り線が長すぎるために、スムーズに行われないという不都合を回避することができる。
【０１５２】
（７）本実施形態では、巻取り工程を行う前に、押し込み工程を行っている。そのため、コア６は、ティース部８ａ〜８ｌを径方向内側として円環状にされた当該コア６の径方向内側に向かって引出し線５ｂが押し込まれた状態で、巻取り工程に移ることになる。この時、ティース部８ａ〜８ｌを径方向内側として円環状にされた当該コア６の径方向内側に向かって押し込まれた引出し線５ｂは、径方向に沿って延びている。そのため、ティース部８ａ〜８ｌが径方向内側となるようにコア６が整形されると、引出し線５ｂは、コア６の径方向外側に向かって延びた状態となる。従って、引出し線５ｂの給電端子への接続が容易に行われ、ブラシレスモータＭの製造を容易に行うことができる。
【０１５３】
また、押し込み工程で、渡り線５ａは、ほぐし部材１１３によって略アーチ状にされる。そのため、巻取り工程で、ティース部８ａ〜８ｌが径方向内側となるようにコア６が丸められる際に、渡り線５ａと引出し線５ｂとが絡まることが防止される。よって、ティース部８ａ〜８ｌが径方向内側となるようにコア６を整形する工程を一層容易に行うことができる。また、コア６がティース部８ａ〜８ｌを径方向外側として円環状にされた状態の時に渡り線５ａが略アーチ状に整形されていると、コア６がティース部８ａ〜８ｌを径方向内側として整形された場合に、渡り線５ａはコア６の外周面よりも内側寄りの位置に配置され易い。更に、引出し線５ｂがティース部８ａ〜８ｌを径方向外側として円環状にされたコア６の径方向内側に向かって押し込まれていると、コア６がティース部８ａ〜８ｌを径方向内側として整形された場合に、引出し線５ｂはコア６の径方向外側に配置される。従って、渡り線５ａを整形する際、引出し線５ｂによって渡り線５ａの整形作業が邪魔されることが抑制され、渡り線５ａの整形を行いやすい。
【０１５４】
（８）巻線工程においては、ティース部８ｅ，８ａ，８ｉに巻線５が巻回されコイルＵ１，Ｖ１，Ｗ１が形成された後、コア６は、フライヤ９１〜９３に対して１５０°回転される。そして、次に巻線５が巻回されるティース部８ｊ，８ｆ，８ｂには、直前にティース部８ｅ，８ａ，８ｉに巻回された巻線５の巻回方向と同じ向きとなるように巻線５が巻回されてコイルＵ２，Ｖ２，Ｗ２が形成される。また、ティース部８ｋ，８ｇ，８ｃに巻線５が巻回されてコイルＵ３，Ｖ３，Ｗ３が形成された後、コア６はフライヤ９１〜９３に対して１５０°回転される。そして、次に巻線５が巻回されるティース部８ｄ，８ｌ，８ｈには、直前にティース部８ｋ，８ｇ，８ｃに巻回された巻線５の巻回方向と同じ向きとなるように巻線５が巻回されてコイルＵ４，Ｖ４，Ｗ４が形成される。そして、本実施形態では、各渡り線５ａは、ティース部を８ａ〜８ｌを径方向内側として整形されたコア６における渡り線５ａの引出し位置Ｘを通る円Ｃ１に沿った円弧状になる。更に、当該渡り線５ａの長さがコア６のフライヤ９１〜９３に対する回転角度（１５０°）から１つのティース部の周方向幅分の角度を除した角度（約１３５°）と同じ角度分の前記円Ｃ１の円周の長さとなる。従って、引出し位置Ｘ間の角度ピッチが約１３５°となる各渡り線５ａは、引出し位置Ｘ間の角度ピッチが１２０°よりも大きいことから、ティース部８ａ〜８ｌを径方向内側としてコア６を丸める際に最低限必要な渡り線の長さよりも長くなる。よって、本実施形態の渡り線５ａは、その長さに余裕があるため、ティース部８ａ〜８ｌを径方向内側としてコア６を丸める際に、渡り線５ａに対して該渡り線５ａの長手方向に沿って過剰な張力がかかることが防止される。その結果、ティース部８ａ〜８ｌを径方向内側としてコア６を整形する工程をより高速化することが可能になると共に、ティース部８ａ〜８ｌを径方向内側としてコア６を丸める工程が更に容易となる。
【０１５５】
（９）渡り線５ａは、巻線案内部９５に案内されることにより、製造されたステータ１において、渡り線５ａの一端側の引出し位置Ｘから円Ｃ１に沿って同渡り線５ａの他端側の引出し位置Ｘに至る円弧状とすることが可能な長さとなっている。そのため、渡り線５ａは、前記円Ｃ１に沿った円弧状に整形されることにより、第１及び第２インシュレータ部材２１，２２の弧状端面部２１ａ，２２ａと内側規制壁２１ｆ，２２ｆとの間に収まる。従って、渡り線５ａがコア６の径方向外側やコア６の径方向内側にはみ出て、ロータ２等に干渉することが防止される。
【０１５６】
（１０）陽極側の給電端子に接続される引出し線５ｂを有するコイルＵ１，Ｕ４は、周方向に隣接する位置に形成されている。同様に、陽極側の給電端子に接続される引出し線５ｂを有するコイルＶ１，Ｖ４、コイルＷ１，Ｗ４も、それぞれ周方向に隣接する位置に形成されている。また、陰極側の給電端子に接続される引出し線５ｂを有するコイルＵ２，Ｕ３は、周方向に隣接する位置に形成されている。同様に、陰極側の給電端子に接続される引出し線５ｂを有するコイルＶ２，Ｖ３、コイルＷ２，Ｗ３も、それぞれ周方向に隣接する位置に形成されている。このように、電気極性が同じとなる引出し線５ｂを有するコイル同士が周方向に隣接するように巻回されていることから、引出し線５ｂの給電端子への接続を容易に行うことができる。
【０１５７】
（１１）巻取り工程において、ティース部８ａを有する分割コア部１３は、ティース固定部２０４によって、コア固定部２０２に対して径方向及び周方向に移動不能に固定される。そのため、巻取り部２１３の外周に分割コア部１３が巻き取られる際に、巻取り部２１３の外周に巻き取られる前の分割コア部１３が移動することが防止され、巻取り工程をよりスムーズに行うことができる。
【０１５８】
尚、本発明の実施形態は、以下のように変更してもよい。
○上記実施形態では、巻線案内部９５の外径は、ティース部８ａ〜８ｌを径方向内側として円環状にされたコア６の外径と内径との中間の値となっているが、これに限らない。コア巻取り機２０１にて、ティース部８ａ〜８ｌが径方向内側となるようにコア６を丸める場合には、渡り線の長さが上記実施形態の渡り線５ａより長い場合であっても、ティース部８ａ〜８ｌを径方向内側として分割コア部１３を容易に巻き取ることができる。従って、巻線案内部９５の外径及びコア６に対する巻線案内部の軸方向の配置位置は、適宜変更してもよい。その場合、渡り線５ａの長さが、製造されたステータ１の渡り線５ａの両端の引出し位置Ｘを通る円Ｃ１における、渡り線５ａの両端の引出し位置Ｘ間の中心角θ分の円周の長さと等しくなるように、該巻線案内部９５の外径及びコア６に対する巻線案内部９５の配置位置が設定されるとよい。このようにすると、コア巻取り機２０１にてティース部８ａ〜８ｌを径方向内側としてコア６を整形するのに最適な渡り線５ａの長さとすることができる。そして、渡り線５ａが長くなりすぎることを抑制して、渡り線５ａによる巻線５の電気抵抗の増大を防止することができる。
【０１５９】
○上記実施形態では、巻線案内部９５は円柱状をなしているが、これに限らない。巻線案内部９５は、多角柱状等に形成されていてもよい。
○上記実施形態では、回転テーブル２０５及び巻取り体２１１が３００°回転したところで、巻取り部材２３２に対して巻取り部材２３１が回動されて巻取り部２１３の外周の長さが長くなるように構成されている。しかしながら、回転テーブル２０５及び巻取り体２１１の回転角度が０°の時から、巻取り部材２３２に対して巻取り部材２３１が回動されていてもよい。また、巻取り部２１３は１つの部材から構成されていてもよい。巻取り部２１３が１つの部材から構成される場合には、巻取り部２１３は、該巻取り部２１３の外周の長さが、ティース部８ａ〜８ｌを径方向内側として整形されたコア６の先端を通る円Ｃ２の円周の長さよりも長くなるように形成される。
【０１６０】
尚、最初に巻取り部２１３に巻き取られた分割コア部１３に対し、最後に巻き取られる分割コア部１３のティース部等が接触することなくコア６が巻取り部２１３に巻き取られることが可能な場合には、巻取り部２１３の外周の長さは、巻取り工程を通して前記円Ｃ２の円周の長さと等しくてもよい。
【０１６１】
○上記実施形態では、渡り線５ａは、コア６の中心Ｏ１をその中心とし引出し位置Ｘを通る円Ｃ１における、該渡り線５ａの両端の引出し位置Ｘ間の中心角θ分（引出し位置Ｘ間の角度ピッチ分）の円周の長さに等しく形成されている。しかしながら、渡り線５ａは、巻取り部２１３の外周にティース部８ａ〜８ｌを径方向内側としてコア６を巻き取る際に最低限必要な渡り線の長さ以上の長さであればよい。
【０１６２】
○上記実施形態では、渡り線５ａの両端の引出し位置Ｘ間の角度ピッチは、約１３５°となっているが、これに限らない。渡り線５ａの長さが、渡り線５ａの両端の引出し位置Ｘ間の角度ピッチ分の前記円Ｃ１の円周の長さと等しい場合には、引出し位置Ｘ間の角度ピッチは、１３５°より小さくてもよいし、大きくてもよい。尚、この場合には、図２６に示す通り、渡り線５ａの両端の引出し位置Ｘ間の角度ピッチが１２０°以上であると、巻取り部２１３の外周にコア６を巻き取る際に最低限必要な渡り線の長さよりも渡り線５ａの長さが長くなる。従って、コア巻取り機２０１にてティース部８ａ〜８ｌが径方向内側となるようにコア６を巻き取る工程を高速化することができる。因みに、渡り線５ａにて接続されるコイルが巻回されたティース部間の角度ピッチＰが１２０°より小さい場合であっても、コア巻取り機２０１を使用することにより、ティース部８ａ〜８ｌを内側として容易にコア６を整形することができる。
【０１６３】
また、渡り線５ａの長さが、渡り線５ａにて接続されるコイルが巻回されたティース部間の角度ピッチＰ分の前記円Ｃ１の円周の長さと等しい場合には、渡り線５ａにて接続されるコイルが巻回されたティース部間の角度ピッチＰは１５０°よりも小さくてもよいし、大きくてもよい。尚、この場合も、図２６に示す通り、渡り線５ａにて接続されるコイルが巻回されたティース部間の角度ピッチＰが１２０°以上であると、巻取り部２１３の外周にコア６を巻き取る際に最低限必要な渡り線の長さよりも渡り線５ａの長さが長くなる。従って、コア巻取り機２０１にてティース部８ａ〜８ｌが径方向内側となるようにコア６を巻き取る工程を高速化することができる。因みに、渡り線５ａにて接続されるコイルが巻回されたティース部間の角度ピッチＰが１２０°より小さい場合であっても、コア巻取り機２０１を使用することにより、ティース部８ａ〜８ｌを内側として容易にコア６を整形することができる。
【０１６４】
○上記実施形態では、ティース部８ａを有する分割コア部１３とティース部８ｌを有する分割コア部１３との間にピン挿入孔２３が設けられており、ティース部８ａを有する分割コア部１３とティース部８ｌを有する分割コア部１３とが切り離し可能となっている。しかしながら、ピン挿入孔２３は、１２個の分割コア部１３のうち、どの２つの分割コア部１３間に設けられてもよい。尚、ピン挿入孔２３の両側に設けられたティース部に巻回されるコイルが渡り線にて接続される場合には、巻線案内部９５の形状を変更したり、巻線案内部９５の外周面９５ａに突起部を設けたりして、渡り線の長さを調節し、コア巻取り機２０１にてコア６の整形が可能な長さとする。
【０１６５】
○上記実施形態では、ティース部８ａを有する分割コア部１３とティース部８ｌを有する分割コア部１３との間にのみピン挿入孔２３が設けられているが、ピン挿入孔２３は、複数箇所に設けられてもよい。但し、巻取り工程においては、１箇所のピン挿入孔２３に挿入されたピン１５のみを外す。
【０１６６】
○ティース部８ａ〜８ｌに巻回されるコイルＵ１〜Ｕ４，Ｖ１〜Ｖ４，Ｗ１〜Ｗ４の配置は、上記実施形態のものに限らない。例えば、コイルＵ１〜Ｕ４，Ｖ１〜Ｖ４，Ｗ１〜Ｗ４は、図２８に示すようにティース部８ａ〜８ｌに対して巻回されてもよい。図２８においては、ティース部８ａにコイルＵ１が巻回され、ティース部８ｌにコイルＵ２が巻回され、ティース部８ｇにコイルＵ３が巻回され、ティース部８ｆにコイルＵ４が巻回されている。そして、ティース部８ｉにコイルＶ１が巻回され、ティース部８ｈにコイルＶ２が巻回され、ティース部８ｃにコイルＶ３が巻回され、ティース部８ｂにコイルＶ４が巻回されている。また、ティース部８ｅにコイルＷ１が巻回され、ティース部８ｄにコイルＷ２が巻回され、ティース部８ｋにコイルＷ３が巻回され、ティース部８ｊにコイルＷ４が巻回されている。そして、各相（Ｕ相，Ｖ相，Ｗ相）のコイルは、連続して巻回されている。そして、コイルＵ１，Ｖ１，Ｗ１に設けられた引出し線５ｂが陽極側の給電端子に接続され、コイルＵ４，Ｖ４，Ｗ４に設けられた引出し線５ｂが陰極側の給電端子に接続されている。
【０１６７】
○上記実施形態では、巻取り工程では、コア６は、ティース部８ａ〜８ｌを径方向外側として円環状にされた状態から、巻取り部２１３の外周に順次巻き取られていくが、これに限らない。例えば、図２９に示すように、コア６は、１２個の分割コア部１３が直線状に配置された状態から、巻取り部２１３の外周に順次巻き取られてもよい。この場合、巻取り体２１１は、巻取り部２１３の中心線Ｌ２を回転軸線として回転されると共に、図２９において、右方向に移動されていく。そして、巻取り部２１３が３００°回転したところで、上記実施形態と同様に、巻取り部材２３２に対して巻取り部材２３１が回動され、巻取り部２１３の外周の長さが、前記円Ｃ２の円周の長さよりも長くなる。このようにしても、ティース部８ａ〜８ｌが径方向内側となるようにコア６を整形する工程を容易に行うことができる。
【０１６８】
○上記実施形態では、コア巻取り機２０１は、ティース固定部２０４を備えている。しかしながら、コア巻取り機２０１は、ティース固定部２０４を備えない構成であってもよい。
【０１６９】
○上記実施形態では、中心線Ｌ１を中心に回転テーブル２０５が回転し、巻取り体２１１が中心線Ｌ２を中心に回転しながらコア固定部２０２の外周を周回することにより、巻取り部２１３の外周にコア６が巻き取られていく。しかしながら、回転テーブル２０５は停止した状態で、中心線Ｌ１を中心にコア固定部２０２を回転させると共に、中心線Ｌ２を中心に巻取り体２１１をコア固定部２０２と逆向きに回転させることにより、巻取り部２１３の外周にコア６を巻き取ってもよい。この時、コア固定部２０２と巻取り体２１１とは同じ角度ずつ回転される。また、ティース部８ａを有する分割コア部１３はコア固定部２０２に対して移動不能に支持することなく、ティース部８ｌを有する分割コア部１３を巻取り体２１１と一体回転可能に支持した状態で、中心線Ｌ２を中心に巻取り体２１１を回転させ、巻取り部２１３の外周にコア６を巻き取ってもよい。
【０１７０】
○巻線工程後、押込み工程を省略して巻取り工程を行ってもよい。
○上記実施形態では、第１積層部材１１と第２積層部材１２とを板厚方向に交互に積層して分割コア部１３を形成したが、これに限らない。例えば、複数枚置きに第１積層部材１１及び第２積層部材１２とを積層して分割コア部１３を形成してもよいし、第１積層部材１１のみ、若しくは第２積層部材１２のみを積層して分割コア部１３を形成してもよい。
【０１７１】
○上記実施形態では、各分割コア部１３は、第１及び第２インシュレータ部材２１，２２を介して間接的に隣接する分割コア部１３に対して回動可能に連結されている。しかしながら、複数の分割コア部１３は、隣接する分割コア部１３に対して回動可能に直接連結される構成であってもよい。
【０１７２】
○上記実施形態では、渡り線５ａにて接続される２つのコイルは、巻線５の巻回方向が同じ向きとなっているが、巻線５の巻回方向は適宜変更してもよい。
○上記実施形態では、ティース部８ａ〜８ｌは１２個備えられているが、これに限らない。ティース部は、１１個以下であってもよいし、１３個以上であってもよい。
【図面の簡単な説明】
【０１７３】
【図１】ブラシレスモータの要部断面図。
【図２】ステータの概念図。
【図３】（ａ）は展開したステータコアの平面図、（ｂ）は展開したステータコアの正面図、（ｃ）は展開したステータコアの斜視図。
【図４】（ａ）は第１積層部材の平面図、（ｂ）は図４（ａ）におけるＡ−Ａ断面図。
【図５】（ａ）は第２積層部材の平面図、（ｂ）は図５（ａ）におけるＢ−Ｂ断面図。
【図６】第１インシュレータ部材の斜視図。
【図７】第１インシュレータ部材の平面図。
【図８】第２インシュレータ部材の斜視図。
【図９】第２インシュレータ部材の平面図。
【図１０】ステータの製造システムを示すブロック図。
【図１１】巻線機を示す概念図。
【図１２】巻線機を示す概念図。
【図１３】図１１におけるＣ−Ｃ断面図（概念図）。
【図１４】図１２におけるＤ−Ｄ断面図（概念図）。
【図１５】渡り線ほぐし機を示す概念図。
【図１６】渡り線ほぐし機のブロック図。
【図１７】コア巻取り機の概念図。
【図１８】コア巻取り機の部分拡大図（概念図）。
【図１９】コア巻取り機の部分拡大図（概念図）。
【図２０】（ａ）はコア巻取り機の部分拡大図（概念図）、（ｂ）は押圧部材の先端部付近の部分拡大図。
【図２１】巻線工程後のコアを示す概念図。
【図２２】最後の分割コア部が巻き取られる様子を示す拡大図（概念図）。
【図２３】押込み工程後のコアの斜視図。
【図２４】巻取り工程後のコアの斜視図。
【図２５】完成したステータの斜視図。
【図２６】ティース部間の角度ピッチと巻取り必要長さ係数及び渡り線長さ係数との関係を示すグラフ。
【図２７】巻取り必要長さ係数を説明するための概念図。
【図２８】別例のコアの平面図。
【図２９】別例の巻取り工程を説明するためのコアの平面図。
【符号の説明】
【０１７４】
１…ステータ、５…巻線、５ａ…渡り線、５ｂ…引出し線、６…コアとしてのステータコア、６ａ…渡り線が設けられるコアの端面、８ａ〜８ｌ…ティース部、１３…分割コア部、１５…連結部を構成するピン、２３…連結部を構成するピン挿入孔、３１…巻線機、３４…回転手段を構成する回転軸、３５…回転手段を構成するサーボモータ、４１…回転手段を構成するターンテーブル、６１…回転手段を構成する保持機構、９１〜９３…巻線手段としてのフライヤ、９５…巻線案内部、９５ａ…巻線案内部の外周面、１０１…引出し線押込み機、１０７…押込み手段としての押込み部、２０１…コア巻取り機、２０２…コア固定部、２０５…回転テーブル、２１３…巻取り部、Ｃ１…製造されたステータの渡り線の引出し位置を通る円、Ｃ２…ティース部を径方向内側として整形されたコアにおけるティース部の先端を通る円、Ｌ２…中心線、Ｏ１…コアの中心、Ｓ…ステータの製造システム、Ｕ１〜Ｕ４，Ｖ１〜Ｖ４，Ｗ１〜Ｗ４…コイル、Ｘ…引出し位置、θ…中心角。
【図１】
0004763364.tif 000002
【図２】
0004763364.tif 000003
【図３】
0004763364.tif 000004
【図４】
0004763364.tif 000005
【図５】
0004763364.tif 000006
【図６】
0004763364.tif 000007
【図７】
0004763364.tif 000008
【図８】
0004763364.tif 000009
【図９】
0004763364.tif 000010
【図１０】
0004763364.tif 000011
【図１１】
0004763364.tif 000012
【図１２】
0004763364.tif 000013
【図１３】
0004763364.tif 000014
【図１４】
0004763364.tif 000015
【図１５】
0004763364.tif 000016
【図１６】
0004763364.tif 000017
【図１７】
0004763364.tif 000018
【図１８】
0004763364.tif 000019
【図１９】
0004763364.tif 000020
【図２０】
0004763364.tif 000021
【図２１】
0004763364.tif 000022
【図２２】
0004763364.tif 000023
【図２３】
0004763364.tif 000024
【図２４】
0004763364.tif 000025
【図２５】
0004763364.tif 000026
【図２６】
0004763364.tif 000027
【図２７】
0004763364.tif 000028
【図２８】
0004763364.tif 000029
【図２９】
0004763364.tif 000030